(57)【要約】【課題】  頁捲りが容易で普通紙と同等の使用性を発揮することができるようにする。【解決手段】  リライタブルペーパ出力装置１と従来の出力装置４またはパソコン５がネットワークで繋がった印刷システムにおいて、部分無色リライタブルペーパ２−２の任意の無色の端の部分２２において頁番号３０を含むタイトル３１を印刷し、別の部分無色リライタブルペーパ２−２の無色の端の部分２２に印刷位置１０５をずらしてタイトル３１を印刷し、全頁分の部分無色リライタブルペーパ２−２を揃えて重ねた時に先頭頁から、全てのタイトル３１の表示が一目で確認できるように下。【選択図】  図６
2005196692.tif 000002
【特許請求の範囲】
【請求項１】
印刷手段によりリライタブルペーパに印字出力するリライタブルペーパ出力装置において、
部分無色リライタブルペーパの任意の端の部分において頁番号を含むタイトルを印刷させ、他の部分無色リライタブルペーパに異なる印刷位置をずらしてタイトルを印刷させる制御手段を備えていることを特徴とするリライタブルペーパ出力装置。
【請求項２】
前記制御手段は、最終頁の印刷対象を全有色リライタブルペーパにして、以前の頁の部分無色リライタブルペーパとは異なる印刷位置にタイトルを印刷させることを特徴とする請求項１記載のリライタブルペーパ出力装置。
【請求項３】
前記制御手段は、複数のタイトルが設定された場合、タイトル毎に異なるパターンおよび／または記号を割り当て、タイトルにパターンを合成し、および／または、複数のタイトルの境目に記号を挿入させることを特徴とする請求項１または２記載のリライタブルペーパ出力装置。
【請求項４】
前記制御手段は、前記リライタブルペーパの四方の端のうち、タイトルの印刷位置が左右のどちらかに設定され、かつ他のタイトルの印刷位置が上下のどちらかに設定された場合、左右の水平位置に印刷するタイトルと上下の垂直位置に印刷する他のタイトルの上下階層を設定することを特徴とする請求項１または２記載のリライタブルペーパ出力装置。
【請求項５】
前記制御手段は、前記タイトルを設定する際、各頁において左右の水平位置と上下の垂直位置に印刷されるタイトルの有無と、タイトルの内容を一覧表に書き込み、ネットワークを介して接続されたパーソナルコンピュータの画面、リライタブルペーパ出力装置及び出力装置の操作パネルの少なくとも１つに前記設定した内容を表示させる信号を出力することを特徴とする請求項４記載のリライタブルペーパ出力装置。
【請求項６】
ネットワークを介して接続された出力装置またはパーソナルコンピュータ内のプリンタドライバの印刷条件設定で、タイトルの記述方向を横書きに設定し、かつタイトルの印刷位置を左右に設定した場合、一番長いタイトルの文字列の幅とリライタブルペーパ上の印刷領域の幅を比較し、印刷領域にタイトルが入りきらないことが判明したとき、前記制御手段は、前記パーソナルコンピュータの画面、リライタブルペーパ出力装置または出力装置の操作パネルに警告メッセージを表示させ、タイトルの再設定、タイトルのはみ出す部分を切り捨てて印刷、タイトルの記述方向を強制的に縦書きにして印刷、またはタイトルそのものを９０度回転して印刷のいずれかの処理を行わせることを特徴とする請求項１または５のいずれか１項に記載のリライタブルペーパ出力装置。
【請求項７】
ネットワークを介して接続された出力装置またはパーソナルコンピュータ内のプリンタドライバの印刷条件設定で、タイトルの記述方向を縦書きに設定し、かつタイトルの印刷位置を上下に設定した場合、前記制御手段は、一番長いタイトルの文字列の長さとリライタブルペーパ上の印刷領域の長さを比較し、印刷領域にタイトルが入りきらないことが判明したとき、前記パーソナルコンピュータの画面、リライタブルペーパ出力装置または出力装置の操作パネルに警告メッセージを表示させ、タイトルの再設定、タイトルのはみ出す部分を切り捨てて印刷、タイトルの記述方向を強制的に横書きにして印刷、またはタイトルそのものを９０度回転して印刷のいずれかの処理を行わせることを特徴とする請求項１または５のいずれか１項に記載のリライタブルペーパ出力装置。
【請求項８】
前記制御手段は、部分無色リライタブルペーパの有色部分に夫々の頁内容を示す目次一覧を印刷させ、無色部分には何も印刷せず、有色部分に頁内容を印刷した別のリライタブルペーパの無色部分に夫々の頁番号を印刷した後で、全てのリライタブルペーパを重ね合わせた時に、先頭頁から全ての頁番号と、目次一覧の目次内容が水平的位置で相対的に並ぶように印刷位置を配置することを特徴とする請求項１または２記載のリライタブルペーパ出力装置。
【請求項９】
リライタブルペーパ出力装置の給紙トレイが１段しかない場合、前記制御手段は、印刷頁範囲の最終頁以前の頁を部分無色リライタブルペーパに印刷した後で、印刷を一時停止状態にし、次頁は最終頁であることを示したメッセージを自身の操作パネルに表示し、またはネットワークを介して接続された他の出力装置の操作パネルおよびパーソナルコンピュータの画面の少なくとも一方に表示させ、全有色リライタブルペーパが給紙トレイにセットされているのを確認してから、最終頁を印刷させることを特徴とする請求項２記載のリライタブルペーパ出力装置。
【請求項１０】
前記メッセージの表示に代えてまたは加えて、光および／または人工音声で利用者に報知することを特注とする請求項９記載のリライタブルペーパ出力装置。
【請求項１１】
リライタブルペーパ出力装置の給紙トレイが２段以上ある場合、夫々の給紙トレイに部分無色リライタブルペーパまたは全有色リライタブルペーパをセットしておき、前記制御手段は、印刷頁範囲の最終頁の前頁まで、その頁の内容を部分無色リライタブルペーパに印刷し、最終頁を全有色リライタブルペーパに印刷させることを特徴とする請求項２記載のリライタブルペーパ出力装置。
【請求項１２】
前記制御手段は、ＣＰＵと、このＣＰＵが実行する制御プログラムとからなることを特徴とする請求項１ないし１１のいずれか１項に記載のリライタブルペーパ出力装置。
【請求項１３】
請求項１ないし１２のいずれか１項に記載のリライタブルペーパ出力装置を含む出力装置がネットワークを介してコンピュータに接続されていることを特徴とする印刷システム。
【請求項１４】
複数のリライタブルペーパ出力装置が接続され、前記制御手段は部分無色リライタブルペーパをセットした第１のリライタブルペーパ出力装置を印刷の制御対象にし、印刷頁範囲の最終頁の前頁まで、部分無色リライタブルペーパにその頁の内容を印刷し、最終頁の印刷時に、全有色リライタブルペーパをセットした第２のリライタブルペーパ出力装置を印刷の制御対象にし、最終頁の内容を全有色リライタブルペーパに印刷させることを特徴とする請求項１３記載の印刷システム。
【請求項１５】
前記制御手段は、あるリライタブルペーパ出力装置に排紙される部分無色リライタブルペーパに印刷される最終頁以前の頁までの印刷文書の空白部分に、全有色リライタブルペーパに印刷される最終頁の出力先である他のリライタブルペーパ出力装置の設置場所やプリンタ名等の出力装置情報を印刷させることを特徴とする請求項１４記載の印刷システム。
【請求項１６】
前記制御手段は、全有色リライタブルペーパに印刷される最終頁の空白部分に、部分無色リライタブルペーパ印刷される最終頁の前頁までの出力先であるリライタブルペーパ出力装置の設置場所およびプリンタ名の少なくとも一方を含む出力装置情報を印刷させことを特徴とする請求項１５記載の印刷システム。
【請求項１７】
前記制御手段は、印刷条件設定で用紙種類がリライタブルペーパに設定されたときには、リライタブルペーパ出力装置用の給紙・出力先情報の設定画面を表示させ、給紙・出力先情報の設定画面において印刷頁の前頁までと最終頁のみの出力先のリライタブルペーパ出力装置と、給紙元となるリライタブルペーパ出力装置の給紙トレイを夫々設定した結果、
出力先のリライタブルペーパ出力装置が１つ、かつ給紙トレイが１つだけ設定された場合、
リライタブルペーパ出力装置の給紙トレイが１段しかない場合、
のいずれかの場合には、印刷頁範囲の最終頁以前の頁を部分無色リライタブルペーパに印刷した後で、印刷を一時停止状態にし、次頁は最終頁であることを示したメッセージをリライタブルペーパ出力装置の操作パネル、出力装置の操作パネル、またはパソコンの画面の少なくとも１つに表示させ、全有色リライタブルペーパが給紙トレイにセットされているのを確認してから、最終頁を印刷する処理を行わせることを特徴とする請求項１３記載の印刷システム。
【請求項１８】
前記制御手段は、印刷条件設定で用紙種類がリライタブルペーパに設定されたときには、リライタブルペーパ出力装置用の給紙・出力先情報の設定画面を表示させ、給紙・出力先情報の設定画面において印刷頁の前頁までと最終頁のみの出力先のリライタブルペーパ出力装置と、給紙元となるリライタブルペーパ出力装置の給紙トレイを夫々設定した結果、
出力先のリライタブルペーパ出力装置が複数設定された場合、
複数のリライタブルペーパ出力装置の位置が離れている場合、
リライタブルペーパ出力装置が多数存在する場合、
のいずれかの場合には、あるリライタブルペーパ出力装置に排紙される部分無色リライタブルペーパに印刷される最終頁以前の頁までの印刷文書の空白部分に、全有色リライタブルペーパに印刷される最終頁の出力先である他のリライタブルペーパ出力装置の設置場所あるいはプリンタ名のいずれかを少なくとも含む出力装置情報を印刷させ、同時に全有色リライタブルペーパに印刷される最終頁の空白部分に、部分無色リライタブルペーパ印刷される最終頁の前頁までの出力先である前記あるリライタブルペーパ出力装置の設置場所あるいはプリンタ名のいずれかを少なくとも含む出力装置情報を印刷する処理を行わせることを特徴とする請求項１３記載の印刷システム。
【請求項１９】
前記制御手段は、印刷条件設定で用紙種類がリライタブルペーパに設定されたときには、リライタブルペーパ出力装置用の給紙・出力先情報の設定画面を表示させ、給紙・出力先情報の設定画面において印刷頁の前頁までと最終頁のみの出力先のリライタブルペーパ出力装置と、給紙元となるリライタブルペーパ出力装置の給紙トレイを夫々設定した結果、
出力先のリライタブルペーパ出力装置が１つ、かつ給紙トレイが複数設定された場合、
リライタブルペーパ出力装置の給紙トレイが２段以上ある場合、
のいずれかの場合には、夫々の給紙トレイに部分無色リライタブルペーパまたは全有色リライタブルペーパをセットしておき、印刷頁範囲の最終頁の前頁まで、その頁の内容を部分無色リライタブルペーパに印刷させ、最終頁を全有色リライタブルペーパに印刷させることを特徴とする請求項１３記載の印刷システム。
【請求項２０】
前記制御手段は、リライタブルペーパ出力装置の給紙トレイが１段しかないときには、印刷頁範囲の最終頁以前の頁を部分無色リライタブルペーパに印刷させ後で、印刷を一時停止状態にし、次頁は最終頁である事を示したメッセージをリライタブルペーパ出力装置の操作パネル、出力装置の操作パネル、またはパソコンの画面の少なくとも１つに表示させ、全有色リライタブルペーパが給紙トレイにセットされているのを確認してから、最終頁を印刷させることを特徴とする請求項１３記載の印刷システム。
【請求項２１】
前記制御手段は、前記リライタブルペーパ出力装置の操作パネル、出力装置の操作パネル、またはパソコンの画面の少なくとも１つに表示させることに加えて、あるいは代えて光および／または人工音声で利用者に報知させることを特徴とする請求項１７または２０記載の印刷システム。
【請求項２２】
複数のリライタブルペーパ出力装置が接続され、前記制御手段は部分無色リライタブルペーパをセットしたリライタブルペーパ出力装置を印刷の制御対象にし、印刷頁範囲の最終頁の前頁まで部分無色リライタブルペーパにその頁の内容を印刷し、最終頁の印刷時に全有色リライタブルペーパをセットした他のリライタブルペーパ出力装置を印刷の制御対象にし、最終頁の内容を全有色リライタブルペーパに印刷させることを特徴とする請求項１３記載の印刷システム。
【請求項２３】
コンピュータにロードされ、印刷手段によりリライタブルペーパに印字出力させるプログラムにおいて、
設定番号、印刷位置、タイトル間隔、タイトル配置、記述方向、９０度回転、タイトル項目の少なくとも１つを設定するタイトル設定の手順と、
目次内容、内容付加データ、無職部分データの少なくとも１つを設定する目次一覧設定の手順と
上位階層データおよび下位階層データを設定する階層構築設定の手順と、
を含んでいることを特徴とするコンピュータプログラム。
【請求項２４】
タイトル方向が垂直方向か垂直方向かのチェックを行う手順と、
前記チェックに基づいて文字数データの変更、タイトルの９０度回転、記述方向を変更するの少なくとも１つを設定する手順と、
をさらに含んでいることを特徴とする請求項２３記載のコンピュータプログラム。
【請求項２５】
出力先のリライタブルペーパ出力装置を１つ、給紙トレイを１つに設定したときの印刷手順、
出力先のリライタブルペーパ出力装置を複数に設定したときの印刷手順、
および出力先のリライタブルペーパ出力装置を１つ、給紙トレイを複数に設定したときの制御手順
と、
これらの手順のうちの１つを選択する手順と、
をさらに含んでいることを特徴とする請求項２３または２４記載のコンピュータプログラム。
【請求項２６】
前記目次一覧設定の手順が、
目次タイトル用の設定板棒、印刷位置、タイトル間隔、タイトル配置、記述方向、９０度回転、タイトル項目の少なくとも１つを設定する手順をさらに含んでいることを特徴とする請求項２３記載のコンピュータプログラム。
【請求項２７】
請求項２３ないし２６のいずれか１項に記載のコンピュータプログラムが、コンピュータによって読み込まれ、実行可能に記録されていることを特徴とする記録媒体。
【発明の詳細な説明】
【技術分野】
【０００１】
本発明はリライタブルペーパに印字出力するリライタブルペーパ出力装置、リライタブルペーパを使用した印刷システム、リライタブルペーパに印字出力するためのコンピュータプログラムおよびこのコンピュータプログラムを格納した記録媒体に関する。
【背景技術】
【０００２】
この種の技術として特許文献１に開示された記録媒体のリサイクルシステムが知られている。この発明は、使用済み記録媒体をリサイクルするためのリサイクルシステムの管理を行う管理サーバと、使用済みの記録媒体を集積するリサイクルボックスと、使用済み記録媒体に記録された情報を消去することにより該記録媒体をリサイクル処理するリサイクル装置を保持して移動可能な再生サテライトとにより構成されるリサイクルシステムであって、前記管理サーバは、前記リサイクルボックスにおける前記使用済み記録媒体の集積量を判断するボックス情報を受信した際に、該ボックス情報に基づいてリサイクル処理の必要の有無を判断し、該リサイクル処理が必要であれば、前記再生サテライトにリサイクル処理を指示し、該指示を受けた再生サテライトは、該当する前記リサイクルボックスに集積された使用済み記録媒体を回収して前記リサイクルユニットを用いてリサイクル処理を行うように構成されている。
【特許文献１】特開２００２−１０９０２１号公報
【発明の開示】
【発明が解決しようとする課題】
【０００３】
ところで、前記特許文献１記載の発明では、以下のような点については特に配慮されておらず、この種の印刷システムでは下記のような問題点についてはまだ解決されていない。なお、ここでは、後述の実施例と対応させるために、実施例と対応する符号を（）書きで示した。
【０００４】
リライタブルペーパ（２）の書き換え層（２０）の表面と敷紙（２４）の裏面にそれぞれ樹脂で出来た保護膜を貼っているため、ステープルやパンチが出来ない。更に従来の用紙（３）よりやや硬くて捲りにくい。また、書き換え層（２０）は片面しかなく両面印刷も出来ない。従って、多数頁の文書をリライタブルペーパ（２）に印刷した場合、分厚くかつ捲り難くなる。また、ステープルやパンチが出来ないので乱雑に頁を置くと散けてしまう上、従来の用紙（３）のようにカラーインデックスが添付出来ない。書き換えによる再利用を考えるとラベルの貼付を積極的に行えない。従って目的の頁を探し当てるのに時間がかかってしまう。
【０００５】
また、全頁分の部分無色リライタブルペーパ（２−２）を揃えて重ねた時に、最終頁（１０２）の部分無色リライタブルペーパ（２−２）の背景の色が、タイトル（３１）の印字色と同じか近似している場合、タイトル（３１）の解読が困難になる。例えば部分無色リライタブルペーパ（２−２）を置いた机の色が黒系だったり、透して見ても辺りが夜空等で暗かったりで、タイトル（３１）の印字色が溶け込んでしまう。
【０００６】
また、リライタブルペーパ（２）の端（２１）に目一杯、複数のタイトル（３１）を印刷した場合、タイトル（３１）の文字列が隙間無く並んでいては、１つのタイトル（３１）の範囲が不明確になり、目的の頁または内容を探し当てるのに支障が生じる。更にタイトル設定（５０）の仕方によっては後の頁で同じ印刷位置（１０５）にタイトル（３１）を印刷する場合がある。最初のタイトル（３１）を単に部分無色リライタブルペーパ（２−２）の無色部分（２２）に印刷しただけでは、全てのリライタブルペーパ（２）を束ねて透して見た場合、印刷部分が合成してしまい、塗り潰されたように見えてしまう。タイトル（３１）の解読が困難になり請求項１の効果が維持できない。
【０００７】
また、リライタブルペーパ（２）の印刷位置（１０５）は、最大で四方すなわち上下右左の４つに設ける事が出来る。しかし、複数の印刷位置（１０５）に対しタイトル（３１）を設定する場合、関連性や決まり事が無いと、少なくとも２辺に記述されたタイトル（３１）の組み合わせが意味不明になり、参照者が混乱してしまいタイトル（３１）を付ける意味が無くなる。更に３辺、４辺の印刷位置（１０５）に対しタイトル（３１）を設定する場合、または印刷頁やタイトル（３１）が多数の場合、タイトル（３１）の組み合わせが複雑になり、夫々の頁のタイトル（３１）の状態を把握するのが困難になる。
【０００８】
また、リライタブルペーパ（２）に用紙（３）と同様の頁内容の印刷領域を確保することを前提とした場合、タイトル（３１）の記述方向（１０６）を横書きに設定し、かつタイトル（３１）の印刷位置（１０５）を左右に設定すると、用紙方向（１０８）が縦のリライタブルペーパ（２）であれば、当然印刷領域の幅（１０７−ｗ）が短かくなりがちである。その印刷領域（１０７）に書き込めるタイトル（３１）は最大でも半角５，６文字分しかない。
【０００９】
従って、利用者はリライタブルペーパ（２）の印刷領域の幅（１０７−ｗ）  とタイトル文字列の幅（３１−ｗ）の値の取得と書き込みの是非の判断を行う必要が  ある。それでも印刷後にタイトル切れが発覚しかつタイトル（３１）の内容が理解不能だった場合、タイトル（３１）の再設定や再印刷の作業が必要になる。いずれの作業も手間がかかり作業効率が低下する。
【００１０】
また、目次一覧（５３）を用意する事で目的の頁が何頁目かを迅速に把握出来るが、リライタブルペーパ（２）自体が捲り難くく、結局は１頁ずつ捲りながら目的の頁を探す羽目になり、従来の用紙（３）と比べて頁捲りの作業性が劣る問題の解消には繋がらない。
【００１１】
また、リライタブルペーパ（２）の使用目的は印刷内容の確認である。印刷内容の正確さが確認されて出力装置（４）から用紙（３）に印刷される。従ってリライタブルペーパ出力装置（１）の構造は単純でよく給紙トレイ（４０）が１段しかない場合がある。リライタブルペーパ出力装置（１）には、全有色リライタブルペーパ（２−１）か部分無色リライタブルペーパ（２−２）を区別する機能が付いていないものがある。従って、最終頁（１０２）も部分無色リライタブルペーパ（２−２）に印刷すると、請求項２で挙げた課題が出てくる。
【００１２】
また、請求項８の場合、印刷部数（１０９）が１，２部ならまだしも多数の場合、最終頁（１０２）の時だけいちいち全有色リライタブルペーパ（２−１）を給紙トレイ（４０）にセットし、終了後、再び部分無色リライタブルペーパ（２−２）を給紙トレイ（４０）にセットし直すのは面倒であり、利用者の本来の業務が中断される。とかいってまめに交換を行わないと印刷処理が滞り夫々効率低下を招く。
【００１３】
また、複数のリライタブルペーパ出力装置（１）を並べて、部分無色リライタブルペーパ（２−２）用と全有色リライタブルペーパ（２−１）用に使用すればよいが、利用者の事情により、複数のリライタブルペーパ出力装置（１）を離れた場所に置く場合がある。またリライタブルペーパ出力装置（１）を多数設置する場合もある。その状態で、部分無色リライタブルペーパ（２−２）の最終頁の前頁（１０４）までの印刷文書、または全有色リライタブルペーパ（２−１）の最終頁（１０２）の出力先が分からないと、目的の印刷文書の在処を探し回る羽目になり、手間と時間がかかって余計に作業効率の低下を招く。
【００１４】
また、従来の出力装置（４）に対するプリンタドライバ（１７）は基本的に出力先の出力装置（４）と給紙トレイ（４０）、及び用紙種類を夫々１つしか指定出来ないため、請求項８の処理を実施出来ない。印刷頁範囲（１０１）の最終頁の前頁（１０４）まで設定し部分無色リライタブルペーパ（２−２）に印刷しておき印刷頁範囲（１０１）の最終頁（１０２）のみに設定し全有色リライタブルペーパ（２−１）を給紙トレイ（４０）にセットし直して印刷する手段を取るにしても手間がかかり作業効率が下がる。印刷部数（１０９）が多い場合や複数の利用者が共用するリライタブルペーパ出力装置（１）ならば、手間の度合いが大きくなり益々作業効率が下がる。
【００１５】
また、従来の出力装置（４）に対するプリンタドライバ（１７）は、基本的に出力先の出力装置（４）用に仕様が設定され出力先が１つしか指定出来ないため、請求項９の処理を実施出来ない。印刷頁範囲（１０１）の最終頁の前頁（１０４）までを部分無色リライタブルペーパ（２−２）がセットされたリライタブルペーパ出力装置（１）のプリンタドライバ（１７）で設定し印刷しておき印刷頁範囲（１０１）の最終頁（１０２）のみを全有色リライタブルペーパ（２−１）がセットされたリライタブルペーパ出力装置（１）のプリンタドライバ（１７）で設定し直して印刷する手段を取るにしても手間がかかり作業効率が下がる。印刷部数（１０９）が多い場合や複数の利用者が共用するリライタブルペーパ出力装置（１）ならば、手間の度合いが大きくなり益々作業効率が下がる。
【００１６】
さらに、従来の出力装置（４）に対するプリンタドライバ（１７）は基本的に出力先の出力装置（４）の給紙トレイ（４０）、及び用紙種類を夫々１つしか指定出来ないため、請求項１０の処理を実施出来ない。印刷頁範囲（１０１）の最終頁の前頁（１０４）まで部分無色リライタブルペーパ（２−２）が入った給紙トレイ（４０）に設定して印刷しておき、印刷頁範囲（１０１）の最終頁（１０２）の印刷時に全無色リライタブルペーパ（２−１）が入った給紙トレイ（４０）に設定して印刷する手段を取るにしても手間がかかり作業効率が下がる。印刷部数（１０９）が多い場合や複数の利用者が共用するリライタブルペーパ出力装置（１）ならば、手間の度合いが大きくなり益々作業効率が下がる。
【００１７】
本発明は、このような従来技術の実情に鑑みてなされたもので、その目的は、頁捲りが容易で普通紙と同等の使用性を発揮することができるリライタブルペーパを用いた印刷システムを提供することにある。
【課題を解決するための手段】
【００１８】
前記目的を達成するため、本発明は、印刷手段によりリライタブルペーパに印字出力するリライタブルペーパ出力装置において、部分無色リライタブルペーパの任意の端の部分において頁番号を含むタイトルを印刷させ、他の部分無色リライタブルペーパに異なる印刷位置をずらしてタイトルを印刷させる制御手段を備えていることを特徴とする。
【００１９】
また、本発明は、前記リライタブルペーパ出力装置を含む出力装置がネットワークを介してコンピュータに接続されていることを特徴とする。
【００２０】
また、本発明は、コンピュータにロードされ、印刷手段によりリライタブルペーパに印字出力させるプログラムにおいて、設定番号、印刷位置、タイトル間隔、タイトル配置、記述方向、９０度回転、タイトル項目の少なくとも１つを設定するタイトル設定の手順と、目次内容、内容付加データ、無職部分データの少なくとも１つを設定する目次一覧設定の手順と、上位階層データおよび下位階層データを設定する階層構築設定の手順とを含んでいることを特徴とする。
【００２１】
また、本発明は、前記コンピュータプログラムが、コンピュータによって読み込まれ、実行可能に記録媒体に記録されていることを特徴とする。
【００２２】
さらに具体的には、前記目的を達成するため、本発明は以下のような構成をとる。なお、実施例との対応を（）を付けた符号により示す。
【００２３】
すなわち、第１の解決手段は、リライタブルペーパ出力装置（１）と従来の出力装置（４）またはパソコン（５）がネットワークで繋がった印刷システムにおいて、部分無色リライタブルペーパ（２−２）の任意の端の部分において頁番号（３０）を含むタイトル（３１）を印刷し、別の部分無色リライタブルペーパ（２−２）に異なる印刷位置（１０５）をずらしてタイトル（３１）を印刷し、全頁分の部分無色リライタブルペーパ（２−２）を揃えて重ねた時に先頭頁から、全てのタイトル（３１）の表示が一目で確認出来る手段を備えていることを特徴とする。
【００２４】
第２の解決手段は、第１の解決手段において、最終頁（１０２）の印刷対象を全有色リライタブルペーパ（２−１）にして、以前の頁の部分無色リライタブルペーパ（２−２）とは異なる印刷位置（１０５）にタイトル（３１）を印刷し、全頁分のリライタブルペーパ（２）を揃えて重ねた時に先頭頁から、全てのタイトル（３１）の表示が一目で確認出来る手段を備えていることを特徴とする。
【００２５】
第３の解決手段は、第１または２の解決手段において、複数のタイトル（３１）が設定された場合、タイトル毎に異なるパターン（３２）または記号（３３）を割り当て、タイトル（３１）にパターン（３２）を合成したり、複数のタイトル（３１）の境目に記号（３３）を挿入して、１つのタイトル（３１）の範囲を明確に表記する手段を備えていることを特徴とする。
【００２６】
第４の解決手段は、第１または２の解決手段において、リライタブルペーパ（２）の四方の端（２１）のうち、タイトル（３１）の印刷位置（１０５）が左右のどちらかに設定され、かつ他のタイトル（３１）の印刷位置（１０５）が上下のどちらかに設定された場合、左右の水平位置に印刷するタイトル（３１）と上下の垂直位置に印刷する他のタイトル（３１）の上下階層を設定し構築するとともに、各頁において左右の水平位置と上下の垂直位置に印刷されるタイトル（３１）の有無と、タイトル（３１）の内容を一覧表（５１）に書き込み、パソコン（５）の画面やリライタブルペーパ出力装置（１）または出力装置（４）の操作パネルに表示することでタイトル設定（５０）の確認を行う手段を備えていることを特徴とする。
【００２７】
第５の解決手段は、第１ないし３のいずれか１の解決手段において、出力装置（４）またはパソコン（５）内のプリンタドライバ（１７）の印刷条件設定（１００）で、タイトル（３１）の記述方向（１０６）を横書きに設定し、かつタイトル（３１）の印刷位置（１０５）を左右に設定した場合、一番長いタイトルの文字列の幅（３１−ｗ）とリライタブルペーパ（２）上の印刷領域の幅（１０７−ｗ）を比較し、印刷領域（１０７）にタイトル（３１）が入りきらない事が判明した場合、パソコン（５）の画面やリライタブルペーパ出力装置（１）または出力装置（４）の操作パネルに警告メッセージを表示し、  タイトル（３１）の再設定、またはタイトル（３１）のはみ出す部分を切り捨てて印刷する、またはタイトル（３１）の記述方向（１０６）を強制的に縦書きにして印刷する、またはタイトル（３１）そのものを９０度回転して印刷する等の何れかの処理を行う手段を備えていることを特徴とする。
【００２８】
第６の解決手段は、第１ないし３のいずれか１の解決手段において、出力装置（４）またはパソコン（５）内のプリンタドライバ（１７）の印刷条件設定（１００）で、タイトル（３１）の記述方向（１０６）を縦書きに設定し、かつタイトル（３１）の印刷位置（１０５）を上下に設定した場合、一番長いタイトルの文字列の長さ（３１−Ｌ）とリライタブルペーパ（２）上の印刷領域の長さ（１０７−Ｌ）を比較し、印刷領域（１０７）にタイトル（３１）が入りきらない事が判明した場合、パソコン（５）の画面やリライタブルペーパ出力装置（１）または出力装置（４）の操作パネルに警告メッセージを表示し、タイトル（３１）の再設定、またはタイトル（３１）のはみ出す部分を切り捨てて印刷する、またはタイトル（３１）の記述方向（１０６）を強制的に横書きにして印刷する、またはタイトル（３１）そのものを９０度回転して印刷する等の何れかの処理を行う手段を備えていることを特徴とする。
【００２９】
第７の解決手段は、第１または２の解決手段において、部分無色リライタブルペーパ（２−２）の有色部分（２３）に夫々の頁内容を示す目次一覧（５３）を印刷し、その一方で無色部分（２２）には何も印刷せず、有色部分（２３）に頁内容を印刷した別のリライタブルペーパ（２）の無色部分に夫々の頁番号（３０）を印刷した後で、全てのリライタブルペーパ（２）を重ね合わせた時に、先頭頁から全ての頁番号（３０）と、目次一覧（５３）の目次内容（５４）が水平的位置で相対的に並ぶ事が一目で確認出来る手段を備えていることを特徴とする。
【００３０】
第８の解決手段は、第２の解決手段において、リライタブルペーパ出力装置（１）の給紙トレイ（４０）が１段しかない場合、印刷頁範囲（１０１）の最終頁以前の頁（１０３）を部分無色リライタブルペーパ（２−２）に印刷した後で、印刷を一時停止状態にし、次頁は最終頁（１０２）である事を示したメッセージをリライタブルペーパ出力装置（１）または出力装置（４）の操作パネル、またはパソコン（５）の画面に表示し、または光や人工音声で利用者に告知し、全有色リライタブルペーパ（２−１）が給紙トレイ（４０）にセットされているのを確認してから、最終頁（１０２）を印刷する手段を備えていることを特徴とする。
【００３１】
第９の解決手段は、第２の解決手段において、複数のリライタブルペーパ出力装置（１）を接続し、制御プログラム（１０）は部分無色リライタブルペーパ（２−２）をセットしたリライタブルペーパ出力装置Ａ（１−Ａ）を印刷の制御対象にし、印刷頁範囲（１０１）の最終頁の前頁（１０４）まで、部分無色リライタブルペーパ（２−２）にその頁の内容を印刷し、最終頁（１０２）の印刷時に、制御プログラム（１０）は全有色リライタブルペーパ（２−１）をセットした他のリライタブルペーパ出力装置Ｂ（１−Ｂ）を印刷の制御対象にし、最終頁（１０２）の内容を全有色リライタブルペーパ（２−１）に印刷する手段を備えていることを特徴とする。
【００３２】
第１０の解決手段は、第２の解決手段において、リライタブルペーパ出力装置（１）の給紙トレイ（４０）が２段以上ある場合、夫々の給紙トレイ（４０）に部分無色リライタブルペーパ（２−２）  または全有色リライタブルペーパ（２−１）をセットしておき、印刷頁範囲（１０１）の最終頁の前頁（１０４）まで、その頁の内容を部分無色リライタブルペーパ（２−２）に印刷し、最終頁（１０２）を全有色リライタブルペーパ（２−１）に印刷する手段を備えていることを特徴とする。
【００３３】
第１１の解決手段は、第９の解決手段において、複数のリライタブルペーパ出力装置（１）の位置が離れている場合、またはリライタブルペーパ出力装置（１）が多数存在する場合、或るリライタブルペーパ出力装置Ａ（１−Ａ）に排紙される部分無色リライタブルペーパ（２−２）に印刷される最終頁以前の頁（１０３）  までの印刷文書の空白部分に、全有色リライタブルペーパ（２−１）に印刷される最終頁（１０２）の出力先である他のリライタブルペーパ出力装置Ｂ（１−Ｂ）の設置場所やプリンタ名等の出力装置情報（６０）を印刷し、同時に全有色リライタブルペーパ（２−１）に印刷される最終頁（１０２）の空白部分に、部分無色リライタブルペーパ（３１）に印刷される最終頁の前頁（１０４）までの出力先であるリライタブルペーパ出力装置Ａ（１−Ａ）の設置場所やプリンタ名等の出力装置情報（６０）  を印刷する手段を備えていることを特徴とする。
【００３４】
第１２の解決手段は、第２の解決手段において、印刷条件設定（１００）で用紙種類をリライタブルペーパ（２）に設定した場合、リライタブルペーパ出力装置（１）用の給紙・出力先情報（６２）の設定画面を表示し、給紙・出力先情報（６２）の設定画面において、印刷頁の前頁（１０４）までと最終頁（１０２）のみの出力先のリライタブルペーパ出力装置（１）と、給紙元となるリライタブルペーパ出力装置（１）の給紙トレイ（４０）を夫々設定した結果、出力先のリライタブルペーパ出力装置（１）が１つ、かつ給紙トレイ（４０）が１つだけ設定された場合、リライタブルペーパ出力装置（１）の給紙トレイ（４０）が１段しかない場合、印刷頁範囲（１０１）の最終頁以前の頁（１０３）を部分無色リライタブルペーパ（２−２）に印刷した後で、印刷を一時停止状態にし、次頁は最終頁（１０２）である事を示したメッセージをリライタブルペーパ出力装置（１）または出力装置（４）の操作パネル、またはパソコン（５）の画面に表示し、または光や人工音声で利用者に告知し、全有色リライタブルペーパ（２−１）が給紙トレイ（４０）にセットされているのを確認してから、最終頁（１０２）を印刷する処理を行うプログラムを実施するように制御プログラム（１０）が指示する手段を備えていることを特徴とする。
【００３５】
第１３の解決手段は、第１２の解決手段において、印刷条件設定（１００）で用紙種類をリライタブルペーパ（２）に設定した場合、リライタブルペーパ出力装置（１）用の給紙・出力先情報（６２）の設定画面を表示し、給紙・出力先情報（６２）の設定画面において、印刷頁の前頁（１０４）までと最終頁（１０２）のみの出力先のリライタブルペーパ出力装置（１）と、給紙元となるリライタブルペーパ出力装置（１）の給紙トレイ（４０）を夫々設定した結果、出力先のリライタブルペーパ出力装置（１）が複数設定された場合、複数のリライタブルペーパ出力装置（１）を接続し、制御プログラム（１０）は部分無色リライタブルペーパ（２−２）をセットしたリライタブルペーパ出力装置Ａ（１−Ａ）を印刷の制御対象にし、印刷頁範囲（１０１）の最終頁の前頁（１０４）まで、部分無色リライタブルペーパ（２−２）にその頁の内容を印刷し、最終頁（１０２）の印刷時に、制御プログラム（１０）は全有色リライタブルペーパ（２−１）をセットした他のリライタブルペーパ出力装置Ｂ（１−Ｂ）を印刷の制御対象にし、最終頁（１０２）の内容を全有色リライタブルペーパ（２−１）に印刷する処理を行うプログラムを実施するように制御プログラム（１０）が指示する手段を備えていることを特徴とする。
【００３６】
第１４の解決手段は、第２の解決手段において、印刷条件設定（１００）で用紙種類をリライタブルペーパ（２）に設定した場合、リライタブルペーパ出力装置（１）用の給紙・出力先情報（６２）の設定画面を表示し、給紙・出力先情報（６２）の設定画面において、印刷頁の前頁（１０４）までと最終頁（１０２）のみの出力先のリライタブルペーパ出力装置（１）と、給紙元となるリライタブルペーパ出力装置（１）の給紙トレイ（４０）を夫々設定した結果、出力先のリライタブルペーパ出力装置（１）が１つ、かつ給紙トレイ（４０）が複数設定された場合、リライタブルペーパ出力装置（１）の給紙トレイ（４０）が２段以上ある場合、夫々の給紙トレイ（４０）に部分無色リライタブルペーパ（２−２）  または全有色リライタブルペーパ（２−１）をセットしておき、印刷頁範囲（１０１）の最終頁の前頁（１０４）まで、その頁の内容を部分無色リライタブルペーパ（２−２）に印刷し、最終頁（１０２）を全有色リライタブルペーパ（２−１）に印刷する処理を行うプログラムを実施するように制御プログラム（１０）が指示する手段を備えていることを特徴とする。
【発明の効果】
【００３７】
本発明によれば、頁捲りが容易で普通紙と同等の使用性を発揮することができる。
【発明を実施するための最良の形態】
【００３８】
以下、発明を実施するための最良の形態について説明する。
【実施例１】
【００３９】
まず、第１及び第２の解決手段に対応する実施例を示す。  
リライタブルペーパ２の書き換え層２０には異なる温度で化学変化を起こし発色したり無色化したりする材質が塗られている。書き換え層２０自体は透明無色なので、そのままでは複数のリライタブルペーパ２を重ねた時に、複数の頁の記述内容が重なって見えてしまい解読が困難になる。従って書き換え層２０の下に白色の敷紙２４を貼り合わせることで複数の頁の記述内容が重なって見えないようにしている。更に書き換え層２０の表面と敷紙２４の裏面に夫々保護層２３が貼られている。
【００４０】
すなわち書き換え層２０の全領域の下側に白色の敷紙２４を貼り合わせているが、以降、全有色リライタブルペーパ２−１と呼んで説明を行う。
【００４１】
本発明はリライタブルペーパ２の書き換え層２０の一部領域の下側を無色シート２５に置き換えたもので、部分無色リライタブルペーパ２−２と呼んで説明を行う。
【００４２】
図１は全有色リライタブルペーパ２−１の断面図、図２は部分無色リライタブルペーパ２−２の断面図である。図３は部分無色リライタブルペーパ２−２の正面図である。下端が無色部分２２になっている。図４は図３の部分無色リライタブルペーパ２−２に頁番号３０を印刷した所である。頁毎に頁番号３０が右にずれて印刷されているのかが分かる。なお、最終頁１０２は全有色リライタブルペーパ２−１に印刷している。図５は図４の複数の部分無色リライタブルペーパ２−２を揃えて重ねた所である。一目で先頭頁から最終頁１０２までの頁番号３０が確認できる。最終頁１０２は全有色リライタブルペーパ２−１なので、リライタブルペーパ２を何処に置いても頁番号３０の視認が確保出来る。
【００４３】
次は頁番号３０を含めたタイトル設定５０の説明であるが、それにはリライタブルペーパ２の他に様々なハードウェアやソフトウェアが不可欠なのでそれらの説明を先に行う。
【００４４】
図６は本発明の実施例に係る印刷システムのシステム構成を示すブロック図である。  
同図において、リライタブルペーパ出力装置１はネットワークを介してパーソナルコンピュータ（以下、パソコンと称す）５及び出力装置４に接続されている。この実施例における出力装置４とは記録媒体上に可視画像を形成する機能を有するコピー機、ＦＡＸ、プリンタ、複合機等を意味する。従来の用紙３を使った印刷と同様に、パソコン５または出力装置４によって作成された画像をリライタブルペーパ出力装置１から印刷する。なお、パソコン５内のプリンタドライバ１７や出力装置４内の制御プログラム１０を使って、特定のリライタブルペーパ出力装置１を出力先として指定することが出来る。更に印刷条件設定１００の際、印刷頁範囲１０１を指定して部分無色リライタブルペーパ２−２または全有色リライタブルペーパ２−１のどちらかに印刷するか設定することもできる。
【００４５】
パソコン５本体には制御プログラム１０、作業用バッファ１１、表示バッファ１２、メモリ１３、ＣＰＵ１４、ハードディスク１５、印刷バッファ１６が組み込まれる。ＣＰＵ１４は、制御プログラム１０を通じて本発明の動作を制御するものである。制御プログラム１０は、データの流れと各ハードウェアの動作の順序を書き込んだものであり、本発明で実行する処理内容がプログラムとして記録され、この制御プログラム１０とこの制御プログラム１０を実行するＣＰＵ１４が本発明における制御手段を構成している。なお、この制御プログラムは図示しないネットワークを介してサーバから、あるいは図示しない記録媒体駆動装置によって駆動されるＣＤ−ＲＯＭやＳＤカードなどの公知の記録媒体から前記記録媒体駆動装置を介して読み込まれ、ダウンロードあるいはバージョンアップが行われる。
【００４６】
メモリ１３とハードディスク１５は、タイトル設定５０に必要なソフトウェアや一覧表５１のフォーマット、データやバッファの内容を格納するためものである。表示バッファ１２は、表示装置に画像を表示するためのバッファである。印刷バッファ１６は、印刷画像、すなわち加工画像の配置場所、または加工場所となるバッファである。作業用バッファ１１は、新たな編集加工の前に現在の加工画像を退避させるためのバッファである。
【００４７】
次は処理の説明を行う。なお、請求項の内容に沿って説明するので、図６１〜図７３の本発明のフローチャートに記述した処理の流れとは合致しない所がある。従ってフローチャートの説明は切り離して後述する。
【００４８】
本発明の処理内容を一言で言えば、
（１）  印刷位置１０５に印刷する文書番号、頁タイトル、文書タイトル等のデータを作成、または取得する。  
（２）  印刷頁範囲１０１を設定して印刷頁数を算出する。頁番号３０は印刷頁範囲１０１で設定した値を利用する。  
（３）  出力先と給紙トレイ４０等の設定を行う。  
（４）  リライタブルペーパ２上のタイトル３１の印刷位置１０５＝部分無色リライタブルペーパ２−２で言えば無色部分２２の位置等タイトル３１の各種情報を設定する。  
（５）  リライタブルペーパ２の用紙サイズ１１０を取得する。  
（６）  タイトル３１の印刷開始座標１１１を算出する。  
（７）  タイトル３１の印刷領域１０７を算出する。  
（８）  各設定に基づいて各タイトル３１を印刷画像に合成し、印刷バッファ１６にコピーする。  
（９）  印刷バッファ１６の画像を所定のリライタブルペーパ２に印刷する。  
（１０）  （６）〜（９）を印刷頁範囲１０１の最終頁１０２まで繰り返す。  
という手順になる。
【００４９】
すなわち、この手順では、まず、タイトル３１の設定を行う。専用アプリまたは表計算アプリの表を使って必要なデータを設定する。図７はタイトル設定５０（その１）を示す図である。タイトル設定は、以下のようにして行う。すなわち、
１．タイトル設定５０の設定番号５２を入れる。  
設定後はメモリ１３かハードディスク１５等に記録し、再利用やデータ修正の際にその設定番号５２を参照する。タイトル３１の印刷位置１０５を設定する。左右上下の４ヶ所のうちどれか１つを設定する。部分無色リライタブルペーパ２−２に設定する際、無色部分２２の位置を確認しておく必要がある。
【００５０】
２．タイトル間隔Ｘ１１２ｘを決める。  
ここでは１ｍｍと設定している。
【００５１】
３．タイトル配置Ｘ１１３ｘを設定する。  
印刷位置１０５が左右であれば、上詰め、下詰め、等間隔のうちどれか１つを設定する。印刷位置１０５が上下であれば、左詰め、右詰め、等間隔のうちどれか１つを設定する。
【００５２】
４．タイトル配置Ｙ１１３ｙを設定する。  
印刷位置１０５が左右であれば、１列目〜Ｘ列目のうち任意の値を設定する。リライタブルペーパ２におけるタイトル３１の印刷位置１０５の幅が最少限の場合、１列目がデフォルト値になる。印刷位置１０５が上下であれば、１行目〜Ｘ行目のうち任意の値を設定する。リライタブルペーパ２におけるタイトル３１の印刷位置１０５の長さが最少限の場合、１行目がデフォルト値になる。
【００５３】
５．タイトル３１の記述方向１０６を設定する。  
横書きがデフォルトになるが、縦書きに変更可能である。９０度回転１１９は「しない」がデフォルトになる。「する」に設定すると記述方向１０６が横書きの場合９０度右回転し、記述方向１０６が縦書きの場合９０度左回転する。
【００５４】
６．タイトル項目３４を入力する。  
無入力でもよいが、後で述べるタイトル３１の上下階層を定めるに当たって判断材料となるので、できれば入力した方が良い。ここでは「氏名」と入力している。
【００５５】
７．タイトル３１のデータを入力する。  
タイトル項目３４が入力されていればそれに基づいたデータの入力を行う。「阿部」「井上」「上野」「江本」「小川」の５つのデータが入力されている。ここでは入力データの制限個数を定めていない。なお「氏名」のデータの左側の番号は頁番号３０ではない。単なるタイトル番号に過ぎない。
【００５６】
なお、頁番号３０を設定する場合は図８のタイトル設定５０（その２）のような設定となる。タイトル項目３４に「頁番号」と入力しているが、タイトルデータと誤認されるのを避けるのであれば別の項目を設けて「タイトル」または「頁番号」のどれかを指定する手段を設けるとよい。頁番号３０であるが、従来の印刷と同様に印刷頁範囲１０１の印刷開始頁から印刷終了頁を設定することで得られる。
【００５７】
図７の設定によれば、印刷位置１０５が「上」かつタイトル配置Ｙ１１３ｙが「１行目」である。各タイトルの印刷開始Ｙ座標１１１ｙは水平位置なので同一の値であり所定の値が定められる。所定の値はその時の仕様による。
【００５８】
次は各タイトルの印刷開始Ｘ座標１１１ｘを算出する。「阿部」、即ちＳ１の印刷開始Ｘ座標１１１ｘの値を５とした場合の各タイトルの印刷開始Ｘ座標１１１ｘは図９のようになる。印刷開始Ｘ座標１１１ｘを算出する際の式は以下の通りである。
【００５９】
印刷開始Ｘ座標１１１ｘ＝前のタイトルの印刷開始Ｘ座標１１１ｘ’＋タイトルの文字列の幅３１ｗ＋各タイトル間隔Ｘ１１２ｘ・・・（１）
各タイトルの印刷開始Ｘ座標１１１ｘの位置を図示したのが図１０である。Ｓは各タイトルの印刷開始Ｘ座標１１１ｘ、Ｅは各タイトルの印刷終了Ｘ座標、Ｔは各タイトルの文字列の幅３１ｗ、Ｋは各タイトル間隔Ｘ１１２ｘを表す。ただし先頭のタイトルであるが、当然、前にタイトルがないので式（１）を適用せず、ループの前処理として、単に印刷開始Ｘ座標１１１ｘの初期値、即ち、Ｓ１が割り当てられる。従って、式（１）は２つ目以後のタイトル３１の印刷開始Ｘ座標１１１ｘの算出に使用される。
【００６０】
今回はたまたま全部のタイトル３１が全角２文字分であるが、「秦」や「佐々木」のようなタイトルが入ることがあり、その都度、タイトル文字列の幅３１ｗを算出する必要がある。
【００６１】
印刷位置１０５が左右のような垂直位置に対する印刷の場合、各タイトルの印刷開始Ｙ座標１１１ｙを算出する。印刷開始Ｙ座標１１１ｙを算出する際の式は以下の通りである。
【００６２】
印刷開始Ｙ座標１１１ｙ＝前のタイトルの印刷開始Ｙ座標１１１ｙ’  ＋タイトルの文字列長３１Ｌ＋各タイトル間隔Ｙ１１２ｙ・・・（２）
前記式（１）で算出した値で図９の太字を各タイトルの印刷開始Ｘ座標１１１ｘに当てはめて部分無色リライタブルペーパ２−２の上側にある無色部分２２に各タイトルを印刷すると図１１のようになる。１頁目には「阿部」が印刷され、２頁目には「阿部」の印刷領域を避ける形で、「井上」を右にずらして印刷されている。３頁以後も同様に「上野」「江本」「小川」のタイトルを右にずらして印刷されている。
【００６３】
図１１の全てのリライタブルペーパ２を揃えて透しで見たのが図１２である。先頭頁から一目で全頁のタイトル３１が確認できる。
【００６４】
ところでタイトル数が多くなって、タイトル間隔１１２の値をゼロにせざるを得ない状況になった場合になると、全てのリライタブルペーパ２を揃えて透しで見ると複数のタイトル３１がくっついた形に見えて、１つのタイトルの範囲が視認できなくなってしまう。この場合は図１３に示すように処理する（第３の解決手段）。ここでは、タイトル毎に異なる薄色のパターン３２を割り当てて合成させ、タイトル間隔１１２の値がゼロでも１つのタイトル３１の範囲が視認できるようにしたいる。
【００６５】
図１４は図７のタイトル設定５０（その１）にタイトル３１に割り当てるパターン３２の設定を追加したものである。制御プログラム１０が自動的に割り当てることもある。
【実施例２】
【００６６】
実施例２は前記第４の解決手段に対応する実施例である。  
図１５は複数の無色部分２２を持つ部分無色リライタブルペーパ２−２の正面図である。上側と右側が無色部分２２になっている。
【００６７】
図１６はタイトル設定５０（その５）を示す図で、右側の無色部分２２に印刷するタイトルの設定を行う。前述の実施例と同様にしてデータを入力していくが、印刷位置１０５は「右」、タイトル間隔１１２は「２ｍｍ」、タイトル配置Ｘ１１３ｘは「上詰め」、タイトル配置Ｙ１１３ｙは「１列目」となっている。タイトル項目３４は「科目」、タイトル３１のデータは「国」「数」「英」「物」「生」が入力されている。すなわち、部分無色リライタブルペーパ２−２の中身はテストの答案用紙である。
【００６８】
図１７は上下階層構築設定表５５を示す図である。夫々の印刷位置１０５に印刷されるタイトル項目３４を関連付ける。すなわち上下階層を決めるためのものである。印刷位置「上」の設定番号５２が「００１」、タイトル項目３４が第１階層、印刷位置「右」の設定番号５２が「００３」、タイトル項目３４が第２階層に設定されている。
【００６９】
図１８は各頁の付与タイトル一覧表５６である。図７、図１６、図１７で設定したデータを基づいて形成される。各頁の夫々の印刷位置１０５に印刷されるタイトル３１は図１８の一覧の通りになる。構築番号５８は左から第１〜第４階層が並び、夫々の階層のタイトル番号を振っている。図１７の上下階層構築設定表５５で設定された第１階層の設定番号「００１」を持つタイトル設定表、また、第２階層の設定番号「００３」を持つタイトル設定表からタイトル３１のデータを取得する。第１階層の第１タイトルの下に第２階層のタイトルが続き、一巡後、第１階層の第２タイトルの下に第２階層のタイトルが続く。それを第１階層の最終タイトルまで繰り返す。
【００７０】
１０頁目の構築番号５８では第１階層のタイトル番号「０２」に該当するのが「井上」であり、第２階層のタイトル番号「０５」に該当するのが「生生物」である。印刷位置「上」の無色部分２２にタイトル１を印刷すると図１１と同様になる。印刷位置「右」の無色部分２２にタイトル２を印刷すると図１９のようになる。
【００７１】
図１８においてタイトル２の項目は科目で、図１９に示すように１頁目には「国（国語）」が印刷され、２頁目には「国」の印刷領域を避ける形で、「数（数学）」を下にずらして印刷されている。３頁以後も同様に「英（英語）」「物（物理）」「生（生物）」のタイトル３１が下にずらして印刷されている。
【００７２】
図２０は図１５の全ての部分無色リライタブルペーパ２−２を揃えて重ねた所である。先頭頁から一目で上側の無色部分２２に項目「氏名」のタイトル３１と右側の無色部分２２に項目「科目」のタイトル３１が確認できる。
【００７３】
ところで図１８によれば各タイトルは５回、部分無色リライタブルペーパ２−２に印刷することになる。「阿部」は１頁から５頁で、「国（国語）」は１、６、１１、１６，２１頁である。ところが図２０のように全ての部分無色リライタブルペーパ２−２を揃える時に若干のずれが生じることは否めない。同様に印刷後のタイトル位置においても若干のずれが生じるも否めない。従って全ての部分無色リライタブルペーパ２−２の無色部分２２を透して見た時に、無色部分２２の同じ位置に印刷したはずのタイトル３１がぶれて塗り潰されたように見えてしまう。これではタイトル３１の解読ができなくなる。そこで図１３を参照して説明したようにタイトル毎に異なるパターン３２を割り当てて合成するようにする。このように合成した結果を図２１〜図２５に示す。これらの図から分かるように、後の頁で同じ印刷領域１０７に同じタイトル３１を印刷しても、全ての部分無色リライタブルペーパ２−２の無色部分２２を透して見た時に、下の頁に印刷したタイトル３１と合成されて塗り潰されたように見えてしまうことがないため、タイトル３１の解読を維持できる。
【００７４】
図２１〜図２３は「阿部」の答案用紙で図２１の１頁目が「国（国語）」、図２２の２頁目が「数（数学）」、図１６の３頁目が科目「英（英語）」の答案用紙である。１〜５頁の上側の無色部分２２に「阿部」が同じ印刷領域１０７に印刷されても、何れかの頁でも「阿部」が視認できる。６頁目からは他人の答案用紙になるが右側の無色部分２２で或る科目のタイトルが同じ印刷領域１０７に印刷されても、視認できる。
【００７５】
図２４は図２１の表示方式でタイトル３１が印刷された、全ての部分無色リライタブルペーパ２−２を揃えて重ねた所である。このように重ねたとしてもタイトル３１が視認できる。図２５はタイトル「上野」の先頭頁、すなわち１１頁目を捲った所である。１頁目からタイトル「上野」が見えており、「上野」は５人中３人目なのでおおよその見当を付けて真ん中辺りでリライタブルペーパ２を上下にずらせば、「上野」の頁が出てくる。あとは「上野」の頁で右側の「科目」の夫々のタイトル、合わせて５頁が捲れることになる。
【００７６】
なお、特に説明しない各部は前述の実施例１と同等に構成され、同等に機能する。
【実施例３】
【００７７】
実施例３は第５の解決手段に対応する実施例である。  
図２６はタイトル設定５０（その５）の例を示す図で、右側の無色部分２２に印刷するタイトル３１の設定を行う例である。今回のタイトル項目３４は「都営地下鉄」、タイトル３１のデータは「浅草線」「新宿線」「三田線」「大江戸線」が入力されている。それらの設定条件、設定データで、事前チェックせず部分無色リライタブルペーパ２−２の無色部分２２にタイトル３１を印刷した所、図２７のように「大江戸線」がはみ出してしまった。図２７の部分無色リライタブルペーパ２−２の無色部分２２は横書きで全角３文字分しか入らないようである。そこで事前チェックを行うことにした。ようするに部分無色リライタブルペーパ２−２の無色部分の幅２２ｗと最も長いタイトルの文字列の幅３１ｗを比較すればよい。
【００７８】
そこで、以下の順で処理する。
【００７９】
１．従来の文字関数でタイトル文字数１１４を算出して最も長いタイトル３１を探し当てる。  
２．最も長いタイトルの文字列の幅３１ｗを算出する。  
算出式は、
タイトル文字列の幅３１ｗ＝文字数１１４×１文字辺りの幅１１５ｙ＋文字間隔１１６・・・式（３）
である。
【００８０】
３．部分無色リライタブルペーパ２−２の無色部分の幅２２ｗを取得し、最も長いタイトルの文字列の幅３１ｗと比較する。  
最も長いタイトルの文字列の幅３１ｗが部分無色リライタブルペーパ２−２の無色部分の幅２２ｗより長い場合、図２８の警告メッセージをパソコン５の画面、または出力装置４またはリライタブルペーパ出力装置１の操作パネルに表示する。
【００８１】
図２８ではタイトル「大江戸線」が無色部分２２に入り切らないことを表示している。更に利用者に対して対応策を示し「４文字目以降を切り捨てる」「タイトル設定のやり直し」「タイトルを９０度回転して横向きにする」「タイトルを縦書きにする」の４択を促している。どれか１つ選択してＯＫボタンを押せば選択した処理が実施される運びになっている。もし、図２８で「４文字目以降を切り捨てる」を選択した場合は図２９に示すのように無色部分２２にタイトル３１を最大３文字分に揃えて印刷される。「大江戸線」が「大江戸」になっている。
【００８２】
図２８で「タイトルを９０度回転して横向きにする」を選択した場合は、図３０に示すのように無色部分２２に各タイトルを９０度右回転させて横向きにして、タイトルの印刷を行う。９０度回転１１９の値は「する」に変更される。「タイトルを縦書きにする」を選択した場合は、図３１に示すようにのようにタイトル３１を縦書きにしてタイトル３１の印刷を行う。記述方向１０６の値は「縦書き」に変更される。なお、図３０及び図３１の処理では、図２７及び図２８の処理とは異なり、文字列の比較対象が幅から長さに変更されている。
【００８３】
右側の無色部分の長さ２２Ｌ、すなわち垂直方向よりはみ出さないようにチェックする必要がある。無色部分の長さ２２Ｌは実質上、リライタブルペーパ２の長さでもある。全タイトルの文字列長の合計値１１７ｙが右側の無色部分の長さ２２Ｌを超えているかどうかをチェックすればよい。
【００８４】
全タイトルの文字列長の合計値１１７ｙの算出であるが、式（４）で算出するタイトル文字列長３１Ｌについては実施例５において後述する。
【００８５】
全タイトル文字列長１１７ｙ＝タイトル数１１８×タイトル文字列長３１Ｌ−タイトル間隔Ｙ１１２ｙ
で算出する。
【００８６】
６．リライタブルペーパ２の無色部分の長さ２２Ｌを取得し、全タイトル文字列長の合計値１１７ｙと比較する。  
全タイトル文字列長の合計値１１７ｙがリライタブルペーパ２の無色部分の長さ２２Ｌより長い場合、図３２の警告メッセージをパソコン５の画面、または出力装置４またはリライタブルペーパ出力装置１の操作パネルに表示する。基本的に図２８の警告メッセージと同じであるが、選択は「はみだす部分を切り捨てる」「タイトルの設定をやり直す」の２択だけになっている。利用者はどれか１つ選択してＯＫボタンを押せば、選択した処理が実施される。
【００８７】
なお、特に説明しない各部は前述の実施例１と同等に構成され、同等に機能する。
【実施例４】
【００８８】
実施例４は第６の解決手段に対応する実施例である。  
図３３はタイトル設定５０（その６）の例を示す図で、上側の無色部分２２に印刷するタイトルの設定を行う例である。
【００８９】
図２６に示した例と異なるのは印刷位置１０５が「上」、タイトル間隔１１２が「３０ｍｍ」、タイトル配置Ｘ１１３ｘは「左詰め」、タイトル配置Ｙ１１３ｙ  は「１列目」、タイトルの記述方向１０６が「縦書き」となっている。それらの設定条件、設定データで、事前チェックせずリライタブルペーパ２の無色部分２２にタイトル３１を印刷した所、図３４のように「大江戸線」がはみ出してしまった。図３４のリライタブルペーパ２の無色部分２２は縦書きで全角３文字分しか入らないようである。そこで事前チェックを行うことにした。ようするにリライタブルペーパ２の無色部分の長さ２２Ｌと最も長いタイトルの文字列長３１Ｌを比較すればよい。
【００９０】
そこで、以下の順で処理する。  
１．従来の文字関数でタイトル文字数１１４を算出して最も長いタイトル３１を探し当てる。
【００９１】
２．最も長いタイトルの文字列長３１Ｌを算出する。  
この文字列長３１Ｌの算出式は、下記の式（４）
タイトル文字列長３１Ｌ＝文字数１１４×１文字辺りの長さ１１５ｙ＋文字間隔１１６・・・（４）
である。
【００９２】
３．リライタブルペーパ２の無色部分の長さ２２Ｌを取得し、最も長いタイトルの文字列長３１Ｌと比較する。  
最も長いタイトルの文字列長３１Ｌがリライタブルペーパ２の無色部分の長さ２２Ｌより長い場合、図２８と同様の警告メッセージをパソコン５の画面、または出力装置４またはリライタブルペーパ出力装置１の操作パネルに表示する。どれか１つ選択してＯＫボタンを押せば選択した処理が実施される。「４文字目以降を切り捨てる」を選択した場合は、タイトル３１を最大３文字分に揃えて印刷される。「大江戸線」が「大江戸」になる。「タイトルを９０度回転して横向きにする」を選択した場合は、図３５のように縦書きの文字列を９０度左回転させてタイトルの印刷を行う。９０度回転１１９の値は「する」に変更される。「タイトルを横書きにする」を選択した場合は図３６のようにタイトル３１を横書きにしてタイトル３１の印刷を行う。記述方向１０６の値は「横書き」に変更される。印刷領域の幅１０７ｗが狭いため、「大江戸線」が入り切らず「大江戸」になる。更にタイトル３１の上下の部分にかなりの余白ができるが、タイトル配置Ｙ１１３ｙが「１行目」になるようにデフォルトで設定されている。
【００９３】
ただし、全タイトルを９０度右回転させて印刷した所で上側の無色部分の幅２２ｗよりはみ出さないようにチェックする必要がある。この場合、文字列の比較対象が長さから幅に変更したことに注意する。すなわち、全タイトルの文字列の幅の合計値１１７ｘが上側のの無色部分の幅２２ｗを超えてはいけないことになる。無色部分の幅２２ｗは実質上、リライタブルペーパ２の幅でもある。
【００９４】
そこで全タイトルの文字列の幅の合計値１１７ｘは、
全タイトル文字列の幅１１７ｘ＝タイトル数１１８×タイトル文字列の幅３１ｗ−タイトル間隔Ｘ１１２ｘ
で算出される。なお、タイトル文字列の幅３１ｗは前述の式（３）である。
【００９５】
４．リライタブルペーパ２の無色部分の幅２２ｗを取得し、全タイトルの文字列の幅の合計値１１７ｘと比較する。  
この比較で、全タイトルの文字列の幅の合計値１１７ｘがリライタブルペーパ２の無色部分の幅２２ｗより長い場合、図３２と同様の警告メッセージををパソコン５の画面、または出力装置４またはリライタブルペーパ出力装置１の操作パネルに表示する。利用者はどれか１つ選択してＯＫボタンを押せば選択した処理が実施される。
【００９６】
なお、特に説明しない各部は前述の実施例１と同等に構成され、同等に機能する。
【実施例５】
【００９７】
実施例５は第７の解決手段に対応する実施例である。  
結果的にどのような状態になるのか見ていくとして設定方法は後で述べる。  
図３７は１頁目の頁内容である。有色部分２３には東海道新幹線の東京発のダイヤ、無色部分２２には頁番号１が印刷されている。図３８は３頁目の頁内容である。有色部分２３には東北新幹線の東京発のダイヤ、無色部分２２には頁番号３が印刷されている。図３９は全頁のリライタブルペーパ２を添えて重ねた状態である。１頁目が先頭で無色部分２２を見ると全１２頁あるのが分かる。ところで図３９では２頁以後の内容が見えずどんな内容が分からない。１頁ずつ捲って見なければいけない。以前のように無色部分２２にタイトル３１を付けて印刷したい所であるが、無色部分の幅２２ｗが狭くタイトル１文字分では内容の記述に限界がある。
【００９８】
そこで図４０のような目次一覧５３を用意する。有色部分２３には頁内容を一覧で記述し頁番号３０まで印刷してある。無色部分２２には何も印刷されていない。
【００９９】
図４１は図３９の全頁の部分無色リライタブルペーパ２−２、すなわちの１頁目の前に図４１の目次一覧５３を印刷した部分無色リライタブルペーパ２−２を重ねた状態である。無色部分２２には１頁以降の頁番号３０が見える。図４０の目次一覧５３の中の同じ頁番号３０とは水平位置で並ぶことが分かる。
【０１００】
東北新幹線の東京発のダイヤを見たければ３頁目を捲ればよい。図４２のような頁内容がすぐに見られるはずである。
【０１０１】
図４０の目次一覧５３の中と無色部分２２の同じ頁番号３０が並ぶことに違和感があるかもしれないが、従来の時刻表の目次の場合、本文の頁番号３０が隠れて見えないだけで、もし目次から頁番号３０が無くなったら索引ができなくなる。更にリライタブルペーパ２は書き換えによる再利用が可能である。更新した頁内容が目次と合っているかどうか確認するためにはやはり２つの頁番号３０の一致の確認作業が不可欠である。
【０１０２】
次は目次一覧５３の設定である。図４３は目次一覧設定の一覧表５７（その１）を示す図である。何頁目頁番号３０に目次内容５４を入力するのであるが、例えば１頁目の目次内容５４は「東海道新幹線  東京→大阪」である。
【０１０３】
次に目次内容５４に付加する内容を入力する。ここでは全頁が頁番号３０になっている。更に無色部分２２の印刷内容の設定である。目次の場合、通常は頁番号３０であるが、利用者の都合で変更になる場合がある。結果的に図４４のタイトル設定５０（その７）のような様式でタイトル３１のデータを持つことになる。
【０１０４】
図４５は目次一覧設定の一覧表５７（その２）を示す図である。目次内容５４は不変であるが、目次内容５４に付加する内容が３頁目が「９／６」、７頁目が「☆」、１１頁目が「￥」、１２頁目が「＊」になっている。「９／６」は本文の更新日付、「☆」はよく参照するための目印の理由で付けている。無色内容の設定であるが、頁番号３０よりは目次内容５４から１文字分キーワードを取ってきたものに変えたのは、直感的に内容が分かりやすいと言う理由である。ただし、１１頁目と１２頁目においては、他の頁と区別するためのキーワードが思い当たらず、記号「￥」と「＊」を目次内容５４への付加と無色内容の両方に設定することで特定の頁に辿れると言う理由がある。結果的に図４６のタイトル設定５０（その８）のような様式でタイトル３１のデータを持つことになる。
【０１０５】
図４５は目次一覧設定の一覧表５７（その２）の設定により、リライタブルペーパ２の内容は図４７のようになる。
【０１０６】
なお、特に説明しない各部は前述の実施例１と同等に構成され、同等に機能する。
【実施例６】
【０１０７】
実施例６は第８の解決手段に対応する実施例である。  
図４８は従来から実施されているリライタブルペーパ出力装置１の概略構造を示す図である。同図において、給紙トレイ４０に配置されたプライタルペーパ２を給紙し、プライタルペーパ２に前の印刷画像が印刷されていれば、消去部熱ローラー４１の発熱でプライタルペーパ２の書き換え層２０に化学変化を起こし無色化する。次に印字部サーマルヘッド４２の発熱でプライタルペーパ２の書き換え層２０に化学変化を起こし有色化し、文字や画像を印刷する。消去部熱ローラー４１と印字部サーマルヘッド４２の発熱温度は当然異なる。最後にプライタルペーパ２は排紙トレイ４３に排紙される。
【０１０８】
図５０は本実施例に係る全有色リライタブルペーパ２−１と部分無色リライタブルペーパ２−２を使った印刷システムのデータの流れを示す図である。同図において、まずリライタブルペーパ出力装置１または従来の出力装置４の操作パネルをタッチして印刷条件設定１００を行う。パソコン５内のプリンタドライバ１７でも印刷条件設定１００を行える。図５３は印刷条件設定１００の画面である。画面では用紙設定で「ＲＰ」が選択され反転になりリライタブルペーパ出力装置１を使ってリライタブルペーパ２への出力を設定したことになる。更に印刷部数１０９と印刷頁範囲１０１も設定されている［Ａ１］。
【０１０９】
図５３で「ＯＫ」ボタンが押された場合、図５４の出力先設定の画面が表示される。そこで最終頁以前の頁１０３の出力先と給紙トレイ４０を設定し、ついでに最終頁１０２の出力先と給紙トレイ４０も設定する。「▼」ボタンを押すと、出力先または給紙トレイ４０のリストが画面内に表示される。「プロパティ」ボタンを押せばプリンタの詳細設定画面が表示される。何れも従来のプリンタドライバ３７と似た構成と想定しており、ここは図示を省く。
【０１１０】
ただし、全頁を同じリライタブルペーパ２で印刷する場合は、「全頁の出力先」をチェックする。「最終頁以前の頁１０３の出力先」が「全頁の出力先」となって設定される。同時に最終頁１０２の出力先と給紙トレイ４０の設定項目は非表示になるか半輝度になって設定不可能になる。逆に「最終頁以前の頁１０３の出力先」をチェックすれば、「全頁の出力先」が「最終頁以前の頁１０３の出力先」となって設定される。同時に最終頁１０２の出力先と給紙トレイ４０の設定項目は表示になるか全輝度になって設定可能になる。
【０１１１】
図５４で「ＯＫ」ボタンが押された場合、印刷部数１０９と印刷頁範囲１０１と出力先のリライタブルペーパ２の情報が制御プログラム１０に渡される。印刷部数のカウント１０９−Ｃと印刷頁のカウント１０１−Ｃの初期値化開始値も行う［Ａ２］。制御プログラム１０はリライタブルペーパ出力装置１から給紙トレイ４０上のリライタブルペーパ２の有無情報６１を受け取る［Ａ３］。
【０１１２】
リライタブルペーパ２が給紙トレイ４０にセットされていない場合、制御プログラム１０は印刷頁のカウント１０１−Ｃをチェックし、印刷対象頁が最終頁１０２でなければ図５５のように部分無色リライタブルペーパ２−２をセットするよう促すメッセージを画面に出す。また、給紙トレイ４０においてリライタブルペーパ２の有無に関わらず、印刷対象頁が印刷頁範囲１０１における最終頁１０２であれば、図５６のように全有色リライタブルペーパ２−１をセットするよう促すメッセージを画面に出す。給紙トレイ４０において正しいリライタブルペーパ２がセットされても、リライタブルペーパ出力装置１は部分無色リライタブルペーパ２−２か全有色リライタブルペーパ２−１かの区別を付けることができないため、利用者の確認に委ねるしかない。
【０１１３】
リライタブルペーパ２をセット後、印刷を実行する場合は「はい」ボタンを押し、逆に印刷しないで中止する場合は「いいえ」ボタンを押す。そして、給紙トレイ４０上にリライタブルペーパ２があれば、制御プログラム１０は給紙トレイ４０上のリライタブルペーパ２を給紙して印刷するよう指示する旨の給紙・出力先情報６２をリライタブルペーパ出力装置１に渡す。同時に印刷バッファ１６の内容、即ち出力内容３５も渡す［Ａ４］。
【０１１４】
リライタブルペーパ出力装置１は給紙・出力先情報６２の指示通りに、給紙トレイ４０からリライタブルペーパ２を給紙し、最終的に出力内容３５を印刷し排紙トレイ４３に排出する［Ａ５／Ａ６］。また、印刷する度に印刷頁のカウント１０１−Ｃをインクリメントする。印刷頁範囲１０１の印刷が一巡した場合は印刷頁のカウント１０１−Ｃを初期値開始頁に戻し、更に印刷部数のカウント１０９−Ｃをインクリメントする［Ａ７］。そして、印刷部数のカウント１０９−Ｃと印刷頁のカウント１０１−Ｃがともに印刷頁範囲１０１で設定された最終値に達するか、印刷中止の指示があるまでは前述［Ａ３］〜［Ａ７］を繰り返す。
【０１１５】
なお、特に説明しない各部は前述の実施例１と同等に構成され、同等に機能する。
【実施例７】
【０１１６】
実施例７は第９の解決手段に対応する実施例である。  
図５１は請求項９における全有色リライタブルペーパ２−１と部分無色リライタブルペーパ２−２を使った印刷システムのデータの流れを示す図である。図４８に示した従来のリライタブルペーパ出力装置１を複数使用し、リライタブルペーパ出力装置Ａ（１−Ａ）の給紙トレイ４０には部分無色リライタブルペーパ２−２がセットされ、リライタブルペーパ出力装置Ｂ（１−Ｂ）の給紙トレイ４０には全有色リライタブルペーパ２−１がセットされている。
【０１１７】
まず印刷条件設定１００であるが、リライタブルペーパ出力装置１または従来の出力装置４の操作パネルをタッチして前記［Ａ１］と同様の処理を行う［Ｂ１]。
【０１１８】
更に印刷条件設定１００で「ＯＫ」ボタンが押された場合、前記［Ａ２］と同様の処理を行う［Ｂ２］。
【０１１９】
制御プログラム１０は印刷対象頁が印刷頁範囲１０１の最終頁１０２以外の場合、出力先を部分無色リライタブルペーパ２−２がセットされているリライタブルペーパ出力装置Ａ（１−Ａ）に指定する。同時に制御プログラム１０は印刷対象頁が印刷頁範囲１０１の最終頁１０２の場合、出力先を全有色リライタブルペーパ２−１がセットされているリライタブルペーパ出力装置Ｂ（１−Ｂ）に指定する。
【０１２０】
これは最終頁１０２の印刷時に、全有色リライタブルペーパ２−１がセットされているリライタブルペーパ出力装置Ｂ（１−Ｂ）を探しに行って見つからないとなると、印刷処理としては成り立たないからである。更に後述の請求項１１の処理を行う際、１０６の処理は不可欠である。
【０１２１】
次に制御プログラム１０はリライタブルペーパ出力装置Ａ（１−Ａ）から給紙トレイ４０上の部分無色リライタブルペーパ２−２の有無情報６１−Ａを受け取る［Ｂ３］。
【０１２２】
同時にリライタブルペーパ出力装置Ｂ（１−Ｂ）から給紙トレイ４０上の全有色リライタブルペーパ２−１の有無情報６１−Ｂを受け取る［Ｂ４］。
【０１２３】
部分無色リライタブルペーパ２−２が給紙トレイ４０にセットされていない場合、制御プログラム１０は図５７のように部分無色リライタブルペーパ２−２をセットするよう促すメッセージを画面に出す。部分無色リライタブルペーパ２−２をセット後、印刷を実行する場合は「はい」ボタンを押し、逆に印刷しないで中止する場合は「いいえ」ボタンを押す。
【０１２４】
もし給紙トレイ４０上に部分無色リライタブルペーパ２−２があれば、制御プログラム１０は給紙トレイ４０上の部分無色リライタブルペーパ２−２を給紙して印刷するよう指示する旨の給紙・出力先情報６２を、リライタブルペーパ出力装置Ａ１−Ａに渡す。同時に出力内容３５も渡す［Ｂ５］。
【０１２５】
リライタブルペーパ出力装置Ａ１−Ａは給紙・出力先情報６２の指示通りに、給紙トレイ４０から部分無色リライタブルペーパ２−２を給紙し、最終的に出力内容３５を印刷し排紙トレイ４３に排出する［Ｂ６］。
【０１２６】
印刷する度に印刷頁のカウント１０１−Ｃをインクリメントする［Ｂ７］。
【０１２７】
全有色リライタブルペーパ２−１が給紙トレイ４０にセットされていない場合、制御プログラム１０は図５８のように全有色リライタブルペーパ２−１をセットするよう促すメッセージを画面に出す。全有色リライタブルペーパ２−１をセット後、印刷を実行する場合は「はい」ボタンを押し、逆に印刷しないで中止する場合は「いいえ」ボタンを押す。もし給紙トレイ４０上に全有色リライタブルペーパ２−１があれば、制御プログラム１０は給紙トレイ４０上の全有色リライタブルペーパ２−１を給紙して印刷するよう指示する旨の給紙・出力先情報６２を、リライタブルペーパ出力装置Ｂ（１−Ｂ）に渡す。同時に出力内容３５も渡す［Ｂ８］。
【０１２８】
リライタブルペーパ出力装置Ｂ（１−Ｂ）は給紙・出力先情報６２の指示通りに、給紙トレイ４０から全有色リライタブルペーパ２−１を給紙し、最終的に出力内容３５を印刷し排紙トレイ４３に排出する［Ｂ９］。
【０１２９】
印刷する度に印刷頁のカウント１０１−Ｃをインクリメントする。印刷頁範囲１０１の印刷が一巡した場合は印刷頁のカウント１０１−Ｃを初期値開始頁に戻し、更に印刷部数のカウント１０９−Ｃをインクリメントする［Ｂ１０］。
【０１３０】
印刷部数のカウント１０９−Ｃと印刷頁のカウント１０１−Ｃがともに印刷頁範囲１０１で設定された最終値に達するか、印刷中止の指示があるまでは［Ｂ３］〜［Ｂ１０］を繰り返す。
【０１３１】
なお、特に説明しない各部は前述の実施例１と同等に構成され、同等に機能する。
【実施例８】
【０１３２】
実施例８は第１０の解決手段に対応する実施例である。  
図４９は給紙トレイ４０を２つ持つリライタブルペーパ出力装置１の概略構造を示す図である。
【０１３３】
このリライタブルペーパ出力装置１には給紙トレイ４０が２つあり、夫々の給紙トレイ４０から続く給紙通路が消去部熱ローラー４１の手前が合流する以外は図４８のリライタブルペーパ出力装置１とは同等に構成されている。
【０１３４】
図５２は請求項１０における全有色リライタブルペーパ２−１と部分無色リライタブルペーパ２−２を使った印刷システムのデータの流れである。
【０１３５】
図４９の給紙トレイ４０を２つ持つリライタブルペーパ出力装置１を使用し、上段の給紙トレイＡ４０−Ａには部分無色リライタブルペーパ２−２がセットされ、下段の給紙トレイＢ４０−Ｂには全有色リライタブルペーパ２−１がセットされているとする。
【０１３６】
まず印刷条件設定１００であるが、リライタブルペーパ出力装置１または従来の出力装置４の操作パネルをタッチして前記［Ａ１］と同様の処理を行う［Ｃ１]。
【０１３７】
更に印刷条件設定１００で「ＯＫ」ボタンが押された場合、前記［Ａ２］と同様の処理を行う［Ｃ２］。
【０１３８】
印刷対象頁が印刷頁範囲１０１の最終頁１０２以外であれば、制御プログラム１０は給紙元を部分無色リライタブルペーパ２−２がセットされている給紙トレイＡ４０−Ａに指定する。制御プログラム１０はリライタブルペーパ出力装置１から給紙トレイＡ（４０−Ａ）上の部分無色リライタブルペーパ２−２の有無情報６１−Ａを受け取る［Ｃ３］。
【０１３９】
同時に制御プログラム１０はリライタブルペーパ出力装置１から給紙トレイＢ（４０−Ｂ）上の全有色リライタブルペーパ２−１の有無情報６１−Ｂを受け取る［Ｃ４］。部分無色リライタブルペーパ２−２が給紙トレイＡ（４０−Ａ）にセットされていない場合、制御プログラム１０は図５７のように部分無色リライタブルペーパ２−２をセットするよう促すメッセージを画面に出す。部分無色リライタブルペーパ２−２を給紙トレイＡ４０−Ａにセット後、印刷を実行する場合は「はい」ボタンを押し、逆に印刷しないで中止する場合は「いいえ」ボタンを押す。
【０１４０】
もし、給紙トレイＡ（４０−Ａ）上に部分無色リライタブルペーパ２−２があれば、制御プログラム１０は給紙トレイＡ（４０−Ａ）上の部分無色リライタブルペーパ２−２を給紙して印刷するよう指示する旨の給紙・出力先情報６２を、リライタブルペーパ出力装置１に渡す。同時に出力内容３５も渡す［Ｃ９］。
【０１４１】
リライタブルペーパ出力装置１は給紙・出力先情報６２の指示通りに、給紙トレイＡ（４０−Ａ）から部分無色リライタブルペーパ２−２を給紙し、最終的に出力内容３５を印刷し、排紙トレイ４３に排出する［Ｃ６］。
【０１４２】
印刷する度に印刷頁のカウント１０１−Ｃをインクリメントする［Ｃ７］。
【０１４３】
印刷対象頁が印刷頁範囲１０１の最終頁１０２であれば、制御プログラム１０は給紙元を全有色リライタブルペーパ２−１がセットされている給紙トレイＢ（４０−Ｂ）に指定する。全有色リライタブルペーパ２−１が給紙トレイＢ（４０−Ｂ）にセットされていない場合、制御プログラム１０は図５８のように全有色リライタブルペーパ２−１をセットするよう促すメッセージを画面に出す。全有色リライタブルペーパ２−１をセット後、印刷を実行する場合は「はい」ボタンを押し、逆に印刷しないで中止する場合は「いいえ」ボタンを押す。もし給紙トレイＢ（４０−Ｂ）上に全有色リライタブルペーパ２−１があれば、制御プログラム１０は給紙トレイＢ（４０−Ｂ）上の全有色リライタブルペーパ２−１を給紙して印刷するよう指示する旨の給紙・出力先情報６２を、リライタブルペーパ出力装置１に渡す。同時に出力内容３５も渡す。リライタブルペーパ出力装置１は給紙・出力先情報６２の指示通りに、給紙トレイＢ（４０−Ｂ）から全有色リライタブルペーパ２−１を給紙し、最終的に出力内容３５を印刷し、排紙トレイ４３に排出する［Ｃ８］。
【０１４４】
印刷する度に印刷頁のカウント１０１−Ｃをインクリメントする。印刷頁範囲１０１の印刷が一巡した場合は印刷頁のカウント１０１−Ｃを初期値開始頁に戻し、更に印刷部数のカウント１０９−Ｃをインクリメントする［Ｃ９］。
【０１４５】
印刷部数のカウント１０９−Ｃと印刷頁のカウント１０１−Ｃがともに印刷頁範囲１０１で設定された最終値に達するか、印刷中止の指示があるまでは［Ｃ３］〜［Ｃ９］を繰り返す。
【０１４６】
なお、特に説明しない各部は前述の実施例１と同等に構成され、同等に機能する。
【実施例９】
【０１４７】
実施例９は第１１の解決手段に対応する実施例である。  
最終頁の前頁１０４までは部分無色リライタブルペーパ２−２に印刷し、最終頁１０２は全有色リライタブルペーパ２−１に印刷したとする。図５９は本実施例において、部分無色リライタブルペーパ２−２の空白部分に文書情報と最終頁１０２の出力先を印刷した状態を示す図である。図６０は全有色リライタブルペーパ２−１の空白部分に文書情報と最終頁以前の頁１０３の出力先を印刷した状態を示す図である。部分無色リライタブルペーパ２−２の最終頁以前の頁１０３を取り出した時、最終頁１０２の全有色リライタブルペーパ２−１の出力先が書いてあるので、その出力先へ行けば最終頁１０２をすぐに取り出すことができ、１つの文書にまとめることが可能である。逆に全有色リライタブルペーパ２−１の最終頁１０２を取り出した時、最終頁以前の部分無色リライタブルペーパ２−２の出力先が書いてあるので、その出力先へ行けば最終頁以前の頁１０３をすぐに取り出すことができ、１つの文書にまとめることが可能である。
【０１４８】
なお、部分無色リライタブルペーパ２−２への出力先の書込みであるが、制御プログラム１０は印刷対象頁が印刷頁範囲１０１の最終頁１０２の出力先を、全有色リライタブルペーパ２−１がセットされているリライタブルペーパ出力装置Ｂ（１−Ｂ）に指定しているので、部分無色リライタブルペーパ２−２の出力内容３５の形成時に、リライタブルペーパ出力装置Ｂ（１−Ｂ）の情報を合成すればよい。
【０１４９】
同様に、全有色リライタブルペーパ２−１への出力先の書込みの際、制御プログラム１０は印刷対象頁が印刷頁範囲１０１の最終頁１０２以外の出力先を、部分無色リライタブルペーパ２−２がセットされているリライタブルペーパ出力装置Ａ（１−Ａ）に指定しているので、全有色リライタブルペーパ２−１の出力内容３５の形成時に、プライタルペーパ出力装置Ａ１−Ａの情報を合成すればよい。
【０１５０】
文書情報の出力先の書込みであるが、これは従来の印刷手順にのっとればよい。リライタブルペーパ出力装置１の排紙トレイ４３に異なる文書が混じっていても、１つの文書にまとめることが可能である。
【０１５１】
なお、第１２ないし第１４の解決手段に対応する実施例は図６８のフローチャートと図６９のフローチャートに対応して後述され、処理フラグ１２０を使って実施している。
【０１５２】
次に、本発明の実施例における各処理手順をフローチャートを用いて説明する。
【０１５３】
図６１は本発明を実施する際の全体的な処理手順を示すフローチャートである。  
同図において、このメインルーチンでは、まず、実行する処理を判断する（Ｓ１）。このＳ１で、そのまま印刷（Ｓ８）、タイトル設定（Ｓ２）、目次一覧設定（Ｓ３）、階層構築設定（Ｓ４）のいずれかの処理かが判断され、タイトル設定（Ｓ２）、目次一覧設定（Ｓ３）、階層構築設定（Ｓ４）のいずれかの場合、それぞれの処理が実行される。次いで、タイトルチェック（Ｓ６）および印刷（Ｓ８）処理の各処理が実行される。なお、Ｓ５およびＳ７ではイベントチェックが行われる。
【０１５４】
図６２はＳ２のタイトル設定のサブルーチンの処理手順を示すフローチャートである。この処理では、最初にタイトル設定画面を表示する。または従来の表エディタで図７のような様式で設定する（Ｓ２０１）。次いで、部分無色リライタブルペーパ２−２の無色部分２２のタイトル印刷条件の設定を行う（Ｓ２０２）。この設定については、図７ないし図１０を参照して前述した。それは全有色リライタブルペーパ２−１においても部分無色リライタブルペーパ２−２と置き換えてみればタイトル印刷条件は不変である。なお、多くても４辺の無色部分２２に印刷するので最大Ｓ２０２の処理を４回行うことになる。
【０１５５】
次に設定するタイトル３１の分だけタイトルのデータとパターン３２の設定を行う（Ｓ２０３）。タイトルのデータの設定については図１に関する説明として記述した。パターン３２の設定については図１４ないし図２３に関する説明として記述した。設定を終えたら設定データを保管するかどうかの確認を行い（Ｓ２０４）、保管するのであれば設定データを一時保管する（Ｓ２０５）。Ｓ２０４で設定をキャンセルする場合、または設定データを一時保管した後は図６２の本発明のフローチャートその２を抜ける。イベントを上位モジュールに返す。
【０１５６】
図６３はＳ３の目次一覧設定処理のサブルーチンの処理手順を示すフローチャートである。この処理では、最初に図４３のような様式で目次内容５４、内容付加データ、無色部分データを設定する（Ｓ３１）。この処理の具体的な内容にすいては図４３ないし図４５を参照して記述した。Ｓ３１で設定を終えたらこの設定データでいいかどうかの確認を行い（Ｓ３２）、この設定データでよければ次に目次タイトル用の設定番号５２、印刷位置１０５、タイトル間隔１１２、タイトル配置１１３、記述方向１０６、９０度回転１１９、タイトル項目３４等を自動的に設定する（Ｓ３３）。
【０１５７】
次に無色部分データをタイトルデータとしてセットする。結果的に図４４のタイトル設定（その７）が形成される（Ｓ３４）。それらの設定データを一時保管（Ｓ３５）して図６３のフローチャートを抜け、イベントを上位モジュールに返す。
【０１５８】
図６４はＳ４の階層構築設定のサブルーチンの処理手順を示すフローチャートである。この処理では、最初に図７のようなタイトル設定が複数設定されているかをチェックする（Ｓ４０１）。もし、タイトル設定が複数設定されていなければこのフローチャートを抜ける。逆にタイトル設定が複数設定されていれば、上下階層構築設定の画面、または図１７の上下階層構築設定表５５のような様式で上下階層を設定する。この上下階層設定表５５に関しては、図１７を参照して記述した。
【０１５９】
設定したら印刷位置１０５のチェックを行う。同じ印刷位置１０５であったらそれなりのエラーメッセージを表示する（Ｓ４０２）。設定を終えたらこの設定データでいいかどうかの確認を行い（Ｓ４０３）、駄目であればこのフローチャートを抜ける。Ｓ４０２でエラーメッセージ表示があった場合は自動的にこのフローチャートを抜ける。
【０１６０】
設定した印刷位置１０５でよければ、設定された階層数１２１と各階層のタイトル数１２２を取得する（Ｓ４０４、Ｓ４０５）。図１７の上下階層構築設定表５５によれば階層数１２１は２つある。第１階層のタイトル設定の設定番号５２は「００１」であり、図７のタイトル設定（その１）を見ると、第１階層のタイトル数１２２は５個あることが分かる。更に第２階層のタイトル設定の設定番号５２は「００３」であり、図１６のタイトル設定（その３）を見ると、第２階層のタイトル数１２２は５個あることが分かる。そこで、これらから各階層のタイトル数同士を掛算することで上下階層の構築数を算出する（Ｓ４０６）。ここでは、（第１階層のタイトル数５個）×（第２階層のタイトル数５個）で、２５個の上下階層の構築数が算出される。
【０１６１】
次に上下階層の構築データを構築数分形成する（Ｓ４０７、Ｓ４０８）。この処理については、図１８を参照して既述した。結果的に図１８の各頁の付与タイトル一覧表５６の中にある構築番号５８として形成される。
【０１６２】
次に構築数の分だけ各頁の構築データに当てはまるタイトル３１のデータを、該当するタイトル設定表から取得し挿入する（Ｓ４０９、Ｓ４１０）。結果的に図１８の各頁の付与タイトル一覧表５６の中にあるタイトル１とタイトル２が挿入される。そして、設定データを一時保管（Ｓ４１１）した後、このフローチャートを抜け、イベントを上位モジュールに返す。
【０１６３】
図６５はＳ６のタイトルチェックのサブルーチンの処理手順を示すフローチャートである。この処理では、最初にタイトル３１が部分無色リライタブルペーパ２−２の無色部分２２内に収まるかのチェックを行う。ただし、記述方向１０６と９０度回転１１９の設定値によってタイトルを垂直方向に印刷するか或いは垂直方向に印刷するかに分かれるので前もって確認する（Ｓ６０１，Ｓ６０２、Ｓ６０５）。記述方向１０６が縦書きにおいて９０度回転１１９をしない場合は垂直方向のタイトル収容チェックへ進む（Ｓ６０３）。９０度回転１１９をする場合は水平方向のタイトル収容チェックへ進む（Ｓ６０４）。記述方向１０６が横書きにおいて９０度回転１１９をしない場合は水平方向のタイトル収容チェックへ進む（Ｓ６０４）。９０度回転１１９をする場合は垂直方向のタイトル収容チェックへ進む（Ｓ６０６＝Ｓ６０３）。Ｓ６０３とＳ６０４の内容の説明は後述する。
【０１６４】
Ｓ６０３またはＳ６０４のチェック結果がＯＫであれば、図２０のように複数の無色部分２２にタイトル３１を設定している場合があるので、設定したタイトル設定の分だけチェックしたかどうかを確認する（Ｓ６０８）。まだタイトル設定の分だけチェックしていなければ、Ｓ６０１の処理に戻る。逆に全てのタイトル設定の分のチェックを終えたら設定データを記録し（Ｓ６０８、Ｓ６０９）、このフローチャート（タイトルチェックＳ６）の処理を抜ける。
【０１６５】
逆にＳ６０３またはＳ６０４のチェック結果がＮＧであれば、図２８のようなタイトル設定不可のメッセージを画面に表示する（Ｓ６０７、Ｓ６１０）。この処理については図２８を参照して既述した。そして、Ｓ６１０のタイトル設定不可のメッセージに対応策が表示してあるのでどれか１つを選択する（Ｓ６１１）。「設定のやり直し」すなわち中止を選択した場合は、設定データをデフォルトに戻して（Ｓ６１２）、このフローチャートの処理を抜ける。「はみ出す分の文字列を削除する」を選択した場合は、タイトル文字数１１４を更新する。文字列そのものを一部カットするのではなく、文字列コピーでタイトルに設定可能な文字数分を取り出すだけである（Ｓ６１３）。更に設定データを一時保管（Ｓ６１６）して再びチェックを受けに行く。「タイトルそのものを９０度回転する」を選択した場合は、９０度回転１１９のデータを「する」に変更し（Ｓ６１４）、設定データを一時保管（Ｓ６１６）して再びチェックを受けに行く。「記述方向を変更する」を選択した場合は、記述方向１０６のデータを「縦書き」または「横書き」に変更し（Ｓ６１５）、設定データを一時保管（Ｓ６１６）して再びチェックを受けに行く。
【０１６６】
図６６は図６５の垂直方向のタイトル収容チェック（Ｓ６０３）のサブルーチンの処理手順を示すフローチャートである。なお、この処理の具体的内容については図３３ないし図３６を参照して既述した。
【０１６７】
この処理では、最初にリライタブルペーパの長さ＝印刷領域の長さ１０７Ｌの値を取得する（Ｓ６０３−１）。次にリライタブルペーパの長さ１０７Ｌの値と比較するタイトルの長さ３１Ｌの値を取得するのであるが記述方向１０６が「縦書き」か「横書き」によっては、タイトルの長さ３１Ｌの定義が大きく違ってくるので、前もって記述方向１０６を確認する（Ｓ６０３−２）。記述方向１０６が「縦書き」の場合、取得するタイトルの長さは、幾つか設定されたタイトルのうち、最も長いタイトルの長さになる。従って、幾つか設定されたタイトルの長さを１つずつ算出して保管した上で、最も長いタイトルを選出する（Ｓ６０３−３〜Ｓ６０３−５）。逆に記述方向１０６が「横書き」の場合、取得するタイトルの長さ３１Ｌは、幾つか設定されたタイトル３１の長さの合計値になる。タイトル間隔１１２ｙの値も合計値に含む。
【０１６８】
従って、幾つか設定されたタイトルの長さ３１Ｌを１つずつ算出して合計値に加算した上で、タイトル間隔１１２ｙの値も合計値に加算する。タイトル間隔１１２ｙの値はタイトル数より１つ少ない回数分加算する（Ｓ６０３−６〜Ｓ６０３−１１）。
【０１６９】
また、タイトルの長さとタイトル間の間隔値を足した値は次のタイトルの印刷開始座標になるので一時保管しておく（Ｓ６０３−１０）。なお、印刷開始座標１１１ｙについては式（２）を参照して既述した。
【０１７０】
次にリライタブルペーパの長さ１０７Ｌの値とタイトルの長さ３１Ｌの値を比較する（Ｓ６０３−１２）。リライタブルペーパの長さ１０７Ｌの値がタイトルの長さ３１Ｌの値より大きいか同じの場合、リターン値にＯＫを設定して上位モジュールに返す（Ｓ６０３−１２、Ｓ６０３−１３）。逆にタイトルの長さ３１Ｌの値がリライタブルペーパの長さ１０７Ｌの値より大きいか同じの場合、リターン値にＮＧを設定して上位モジュールに返し（Ｓ６０３−１２、Ｓ６０３−１４）、このフローチャート（垂直方向のタイトル収容チェックＳ６０３）を抜ける。
【０１７１】
図６７は図６５の水平方向のタイトル収容チェック（Ｓ６０４）のサブルーチンの処理手順を示すフローチャートである。基本的に処理は垂直方向の時Ｓ６０３と変わらない。タイトル３１の向きが違い、比較対象が長さから幅に変わるだけである。この処理の具体的内容については図２６ないし図３２を参照して既述した。
【０１７２】
この処理では、最初にリライタブルペーパの幅＝印刷領域の幅１０７ｗの値を取得する（Ｓ６０４−１）。次にリライタブルペーパの幅１０７ｗの値と比較するタイトルの幅３１ｗの値を取得するのであるが記述方向１０６が「縦書き」か「横書き」によっては、タイトルの幅３１ｗの定義が大きく違ってくるので、前もって記述方向１０６を確認する（Ｓ６０４−２）。記述方向１０６が「横書き」の場合、取得するタイトルの幅３１ｗは、幾つか設定されたタイトルのうち、最も長いタイトルの幅になる。従って、幾つか設定されたタイトルの幅３１ｗを１つずつ算出して保管した上で、最も長いタイトルを選出する（Ｓ６０４−３〜Ｓ６０４−５）。逆に記述方向１０６が「縦書き」の場合、取得するタイトルの幅３１ｗは、幾つか設定されたタイトル３１の幅の合計値になる。タイトル間隔１１２ｘの値も合計値に含む。
【０１７３】
従って、幾つか設定されたタイトルの幅３１ｗを１つずつ算出して合計値に加算した上で、タイトル間隔１１２ｘの値も合計値に加算する。タイトル間隔１１２ｘの値はタイトル数より１つ少ない回数分加算する（Ｓ６０４−６〜Ｓ６０４−１１）。
【０１７４】
また、タイトルの幅３１ｗとタイトル間隔１１２ｘの値を足した値は次のタイトル３１の印刷開始座標１１１ｘになるので一時保管しておく（Ｓ６０４−１０）。なお、印刷開始座標１１１ｘについては式（１）を参照して既述した。
【０１７５】
次にリライタブルペーパの幅１０７ｗの値とタイトルの幅３１ｗの値を比較する（Ｓ６０４−１２）。リライタブルペーパの幅１０７ｗの値がタイトルの幅３１ｗの値より大きいか同じの場合、リターン値にＯＫを設定して上位モジュールに返す（Ｓ６０４−１２、Ｓ６０４−１３）。逆にタイトルの幅３１ｗの値がリライタブルペーパの幅１０７ｗの値より大きいか同じの場合、リターン値にＮＧを設定して上位モジュールに返し（Ｓ６０４−１２、Ｓ６０４−１４）、このフローチャート（水平方向のタイトル収容チェックＳ６０４）の処理を抜ける。
【０１７６】
図６８はＳ８の印刷のサブルーチンの処理手順を示すフローチャートである。この処理では、最初に印刷条件設定（Ｓ８１）を行う。Ｓ８１の内容の説明は図６９を参照して後述する。次いで、印刷条件設定（Ｓ８１）の処理の中で設定された処理フラグ１２０を見て適正な処理を行う。まず、処理フラグ１２０がフラグＤの場合、印刷を行わない意図であるので、このフローチャートを抜ける（Ｓ８２）。処理フラグ１２０がフラグＡの場合、印刷Ａ処理（Ｓ８３）へ進む。フラグＢの場合、印刷Ｂ処理（Ｓ８４）へ進む。フラグＣの場合、印刷Ｃ処理（Ｓ８５）へ進む。各印刷処理のどれかを行った後はこのフローチャートを抜ける。
【０１７７】
図６９は図６８の印刷処理におけるＳ８１の印刷条件設定のサブルーチンの処理手順を示すフローチャートである。この処理では、最初に図５３の印刷条件設定１００の画面を表示し、印刷部数１０９、印刷頁範囲１０１などの印刷条件を設定する（Ｓ８１０１、Ｓ８１０２）。もし印刷条件設定１００の画面で「キャンセル」ボタンが押された場合は設定値を破棄してリターン値として処理フラグＤをセットし、このフローチャートを抜ける（Ｓ８１０３）。
【０１７８】
印刷条件設定１００の画面で「ＯＫ」ボタンが押された場合（Ｓ８１０３）、Ｓ８１０４以降の処理を実行する。そこで、もし印刷条件設定１００の画面において用紙種類をリライタブルペーパ２に設定した場合、図５４のリライタブルペーパ用の出力先設定６３の画面を表示する（Ｓ８１０３〜Ｓ８１０５）。もし最終頁の前頁１０４までを部分無色リライタブルペーパ２−２に印刷し、最終頁１０２を全有色リライタブルペーパ２−１に印刷する場合、出力先設定６３の画面で最終頁の前頁１０４までと最終頁１０２の出力先と給紙トレイ４０を夫々設定する（Ｓ８１０６）。出力先設定６３の画面で設定した最終頁の前頁１０４までと最終頁１０２の出力先と給紙トレイ４０の組み合わせによっては印刷処理の内容が違ってくる。従って、最終頁の前頁１０４までと最終頁の出力先と給紙トレイ４０の組み合わせをチェックして、夫々適正な印刷処理を行うための目印として夫々の処理フラグを振り分ける（Ｓ８１０７〜Ｓ８１１２）。
【０１７９】
出力先が１つのリライタブルペーパ出力装置１で、給紙トレイ４０を１つに指定した場合は処理フラグＡを振り分ける（Ｓ８１１０）。出力先が異なるリライタブルペーパ出力装置１が複数指定された場合は、処理フラグＢを振り分ける（Ｓ８１１２）。出力先が一つのリライタブルペーパ出力装置１で、異なる給紙トレイ４０を複数指定した場合は処理フラグＣを振り分ける（Ｓ８１１１）。なお、印刷条件設定の画面において用紙種類をリライタブルペーパ２に設定しなかった場合は印刷Ａ〜Ｃの処理Ｓ８３〜Ｓ８４を実施する意味がないので処理フラグＤを振り分け（Ｓ８１１３）、それぞれこのフローチャートを抜ける。
【０１８０】
図７０は図６８の印刷Ａ（Ｓ８３）のサブルーチンの処理手順を示すフローチャートである。この処理の具体的内容は図５０、図５３ないし図５６を参照して［Ａ］の処理として既述した。
【０１８１】
この処理では、最初に制御プログラム１０は出力先と給紙トレイ４０を出力先設定６３の画面で設定したデータにする（Ｓ８３０１、Ｓ８３０２）。次に印刷部数のカウント１０９−Ｃを初期化する。初期値は０である（Ｓ８３０３）。そして、印刷部数のカウント１０９−Ｃが印刷条件設定１００の画面で設定した部数の値に達するまでループを行う（Ｓ８３０４〜Ｓ８３１２）。逆に印刷部数のカウント１０９−Ｃが最大値に達したらループを抜け、更にこのフローチャートを抜ける（Ｓ８３０４）。
【０１８２】
次に印刷頁のカウント１０１−Ｃを初期化する。初期値は０である（Ｓ８３０５）。印刷頁のカウント１０１−Ｃが印刷条件設定１００の画面で設定した印刷終了値に達するまでループを行う（Ｓ８３０６〜Ｓ８３０８）。次に印刷画像の形成と印刷の処理を行う（Ｓ８３０７）。このＳ８３０７の処理内容の詳細は図７３を参照して後述する。
【０１８３】
次いで、印刷頁のカウント１０１−Ｃをインクリメントして（Ｓ８３０８）、印刷終了値までのループ継続の判定（Ｓ８３０６）に戻る。印刷頁のカウント１０１−Ｃが印刷終了値に達するまでは部分無色リライタブルペーパ２−２に印刷するものとする。印刷頁のカウント１０１−Ｃが印刷終了値に達した場合、ループを抜け（Ｓ８３０６）、全有色リライタブルペーパ２−２を給紙トレイ４０にセットするように催促するメッセージを画面に設定する（Ｓ８３０９）。メッセージ画面で「ＯＫ」ボタンが押され、全有色リライタブルペーパ２−２が給紙トレイ４０にセットされ、印刷続行のイベントを発した場合、印刷画像の形成と印刷の処理（Ｓ８３１１＝Ｓ８３０７）を行い、印刷部数のカウント１０９−Ｃをインクリメントして（Ｓ８３１２）印刷部数１０９が最大値になるまでのループ継続の判定（Ｓ８３０４）に戻る。逆にメッセージ画面で「キャンセル」ボタンが押され、最終頁１０２の印刷を行わないイベントを発した場合、印刷部数のカウント１０９−Ｃをインクリメントして（Ｓ８３１２）印刷部数１０９が最大値になるまでのループ継続の判定Ｓ８３０４に戻る。
【０１８４】
図７１は図６８の印刷Ｂ（Ｓ８４）のサブルーチンの処理手順を示すフローチャートである。この処理の具体的内容は図５１、図５５および図５６を参照して［Ｂ］の処理として既述した。
【０１８５】
この処理では、最初に印刷部数のカウント１０９−Ｃを初期化する。初期値は０である（Ｓ８４０１）。そして、印刷部数のカウント１０９−Ｃが印刷条件設定１００の画面で設定した部数の値に達するまでループを行う（Ｓ８４０２〜Ｓ８４１２）。次に印刷頁のカウント１０１−Ｃを初期化する。初期値は０である（Ｓ８４０３）。制御プログラム１０は最終頁１０２までの出力先と給紙トレイ４０を、出力先設定６３の画面で設定したデータに設定する（Ｓ８４０４、Ｓ８４０５）。更に印刷頁のカウント１０１−Ｃが印刷条件設定１００の画面で設定した印刷終了値に達するまでループを行う（Ｓ８４０６〜Ｓ８４１２）。
【０１８６】
次に印刷画像の形成と印刷の処理を行い（Ｓ８４０７＝Ｓ８３０７）、印刷頁のカウント１０１−Ｃをインクリメントして（Ｓ８４０８）印刷終了値までのループ継続の判定（Ｓ８４０６）に戻る。印刷頁のカウント１０１−Ｃが印刷終了値に達するまでは部分無色リライタブルペーパ２−２に印刷するものとする。印刷頁のカウント１０１−Ｃが印刷終了値に達した場合、ループを抜け（Ｓ８４０６）、制御プログラム１０は最終頁１０２の出力先と給紙トレイ４０を、出力先設定６３の画面で設定したデータに設定する（Ｓ８４０９、Ｓ８４１０）。
【０１８７】
次に印刷画像の形成と印刷の処理を行う（Ｓ８４１１＝Ｓ８３０７）。全有色リライタブルペーパ２−２に印刷するものとする。印刷部数のカウント１０９−Ｃをインクリメントして（Ｓ８４１２）印刷部数１０９が最大値になるまでのループ継続の判定（Ｓ８４０２）に戻る。印刷部数のカウント１０９−Ｃが最大値に達したらループを抜け、更にこのフローチャート（印刷Ｂ）を抜ける（Ｓ８４０２）。
【０１８８】
図７２は図６８の印刷Ｃ（Ｓ８５）のサブルーチンの処理手順を示すフローチャートである。この処理の具体的な処理内容は図４８、図５２、図５７および図５８を参照した既述した。
【０１８９】
この処理では、最初に制御プログラム１０は出力先を出力先設定６３の画面で設定したデータに設定する（Ｓ８５０１）。更に印刷部数のカウント１０９−Ｃを初期化する。初期値は０である（Ｓ８５０２）。そして、印刷部数のカウント１０９−Ｃが印刷条件設定１００の画面で設定した部数の値に達するまでループを行う（Ｓ８５０３〜Ｓ８５１１）。次に印刷頁のカウント１０１−Ｃを初期化する。初期値は０である（Ｓ８５０４）。更に制御プログラム４０は最終頁１０２までの給紙トレイ４０を、出力先設定６３の画面で設定したデータに設定する（Ｓ８５０５）。そして、印刷頁のカウント１０１−Ｃが印刷条件設定１００の画面で設定した印刷終了値に達するまでループを行う（Ｓ８５０６〜Ｓ８５１１）。
【０１９０】
次に印刷画像の形成と印刷の処理を行う（Ｓ８５０７＝Ｓ８３０７）。印刷頁のカウント１０１−Ｃをインクリメントして（Ｓ８５０８）印刷終了値までのループ継続の判定（Ｓ８５０６）に戻る。印刷頁のカウント１０１−Ｃが印刷終了値に達するまでは部分無色リライタブルペーパ２−２に印刷するものとする。印刷頁のカウント１０１−Ｃが印刷終了値に達した場合、ループを抜け（Ｓ８５０６）、制御プログラム１０は最終頁１０２の給紙トレイ４０を出力先設定６３の画面で設定したデータに設定する（Ｓ８５０９）。
【０１９１】
次に印刷画像の形成と印刷の処理を行う（Ｓ８５１０＝Ｓ８３０７）。ここでは、全有色リライタブルペーパ２−２に印刷するものとする。印刷部数のカウント１０９−Ｃをインクリメントして（Ｓ８５１１）印刷部数１０９が最大値になるまでのループ継続の判定（Ｓ８５０３）に戻る。印刷部数のカウント１０９−Ｃが最大値に達したらループを抜け、更にこのフローチャート（印刷Ｃ）を抜ける。（Ｓ８５０３）
図７３は図７０の印刷画像の形成と印刷（Ｓ８３０７）のサブルーチンの処理手順を示すフローチャートである。この処理では、最初に頁画像の内容を作業用バッファ１１に形成する（Ｓ８３０７−１）。次にタイトル設定（Ｓ２）の処理で設定したタイトル３１をタイトル印刷条件に基づいて作業用バッファ１１内の頁画像の所定位置に合成する（Ｓ８３０７−２）。次いで、タイトル設定（Ｓ２）の処理で設定した文書名、出力先等を作業用バッファ１１内の頁画像の所定位置に合成する（Ｓ８３０７−３）。この処理の具体的内容は図４６および図４７を参照して既述した。
【０１９２】
次いで作業用バッファ１１の内容を印刷バッファ１６にコピーし（Ｓ８３０７−４）、印刷バッファ１６の内容をリライタブルペーパ２に印刷し（Ｓ８３０７−５）、このフローチャートを抜ける。
【０１９３】
以上のように前述の各実施例によれば、下記のような効果を奏する。
【０１９４】
１．  部分無色リライタブルペーパ２−２の任意の端の部分において頁番号３０を含むタイトル３１を印刷し、別の部分無色リライタブルペーパ２−２に異なる印刷位置１０５をずらしてタイトル３１を印刷し、全頁分の部分無色リライタブルペーパ２−２を揃えて重ねた時に先頭頁から、全てのタイトル３１の表示が一目で確認でき、目的の頁または内容を一目で探り当てることができる。
【０１９５】
更に四方のうち複数の端２１の部分を、敷紙２４から無色シート２５に置き換えることで、頁の中身を特定するタイトル３１を多く印刷でき、目的の頁または内容を迅速に探り当てることができる。
【０１９６】
２．  最終頁１０２を全有色リライタブルペーパ２−１に印刷することで、最終頁１０２の背景の色が、タイトル３１の印字色と同じか近似しても、タイトル３１の解読が可能になり、前記１の効果を維持する。
【０１９７】
３．  タイトル３１にパターン３２を合成したり、複数のタイトル３１の境目に記号３３を挿入することで、１つのタイトル３１の範囲が明確になる他、後の頁で同じ印刷位置１０５にタイトル３１を印刷されても、参照頁のタイトル３１の解読が確保されるので前記１の効果を維持する。
【０１９８】
４．  左右の水平位置に印刷するタイトル３１と上下の垂直位置に印刷する他のタイトル３１の上下階層を設定し構築した後で、各頁において水平位置と垂直位置の夫々に印刷されるタイトル３１の有無と、タイトル３１の内容を一覧表５１に書き込み、パソコン５の画面やリライタブルペーパ出力装置１または出力装置４の操作パネルに一覧表５１を表示し、タイトル設定５０の確認を行うことで、タイトル設定５０作業が簡易化され、目的の頁に適正なタイトル３１を設定して印刷することができ、目的の頁または内容を迅速に見ることができるので第１および２の効果を奏する。
【０１９９】
５．  一番長いタイトルの文字列の幅３１ｗとリライタブルペーパ２の印刷領域の幅１０７ｗを比較し、印刷領域１０７にタイトル３１が入りきらないことが判明した場合、リライタブルペーパ出力装置１またはパソコン５の画面や出力装置４の操作パネルに警告メッセージを表示することで、タイトル３１が切れた状態で印刷されるのを防止し、タイトル３１の再設定、またはタイトル３１のはみ出す部分を切り捨てて印刷する、またはタイトル３１の記述方向１０６を強制的に縦書きにして印刷する、またはタイトル３１そのものを９０度回転して印刷する等の何れかの処理を行うことで，タイトル３１の内容が理解できる状態でリライタブルペーパ２に記述する作業を簡易することで前記１〜３の効果を奏する。
【０２００】
６．  タイトル３１の記述方向１０６と印刷位置１０５が異なる場合にも、前記５と同様の効果を奏する。
【０２０１】
７．  全てのリライタブルペーパ２を重ね合わせた時に、先頭頁から全ての頁番号３０と、目次一覧５３の目次内容５４が水平的位置で相対的に並ぶことが一目で確認できるので、全頁中の先頭、中間、終端の位置から何頁目かおおよその見当を付けて捲れば、１頁ずつ捲るより速く目的の頁を探し当てることができ、作業性の向上に繋がる。
【０２０２】
８．  印刷頁範囲１０１の最終頁以前の頁１０３を、部分無色リライタブルペーパ２−２に印刷した後で、印刷を一時停止状態にし、次頁は最終頁１０２であることを示すメッセージを、リライタブルペーパ出力装置１または出力装置４の操作パネル、またはパソコン５の画面に表示し、または光や人工音声で利用者に知することで、確実に全有色リライタブルペーパ２−１に交換して最終頁１０２を印刷することができ、リライタブルペーパ出力装置１の給紙トレイ４０が１段しかなくても前記２の効果を奏する。
【０２０３】
９．  リライタブルペーパ出力装置１を複数用意し、部分無色リライタブルペーパ２−２をセットしたリライタブルペーパ出力装置Ａ（１−Ａ）から印刷頁範囲１０１の最終頁の前頁１０４まで、その頁の内容を部分無色リライタブルペーパ２−２に印刷し、最終頁１０２の印刷時に、他のリライタブルペーパ出力装置Ｂ（１−Ｂ）へ印刷の制御を移し、最終頁１０２の内容を全有色リライタブルペーパ２−１に印刷することで、全有色リライタブルペーパ２−１と部分無色リライタブルペーパ２−２の交換作業がしなくてもかつ、給紙トレイ４０が２段以上あるリライタブルペーパ出力装置１を用意しなくても、前記２の効果が維持でき、利用者の本来の業務と印刷処理の効率低下を防止できる。
【０２０４】
１０．  給紙トレイ４０が２段以上あるリライタブルペーパ出力装置１を用意し、夫々の給紙トレイ４０に部分無色リライタブルペーパ２−２または全有色リライタブルペーパ２−１をセットしておき、印刷頁範囲１０１の最終頁の前頁１０４まで、その頁の内容を部分無色リライタブルペーパ２−２に印刷し、最終頁１０２を全有色リライタブルペーパ２−１に印刷することで、前記２の効果を奏する。
【０２０５】
１１．  部分無色リライタブルペーパ２−２の最終頁の前頁１０４までの印刷文書の空白部分に、全有色リライタブルペーパ２−１の最終頁１０２の出力先である他のリライタブルペーパ出力装置Ｂ（１−Ｂ）の出力装置情報６０を印刷し、同時に全有色リライタブルペーパ２−１の最終頁１０２の空白部分に、部分無色リライタブルペーパ２−２の最終頁の前頁１０４までの印刷文書の出力先であるリライタブルペーパ出力装置Ａ（１−Ａ）の出力装置情報６０を印刷することで、すぐに出力先が判明し短時間で回収できるので、前記２の効果が維持でき、利用者の本来の業務と印刷処理の効率低下を防止できる。
【０２０６】
１２．  給紙・出力先情報６２の設定画面において、印刷頁の前頁１０４までと最終頁１０２のみの出力先のリライタブルペーパ出力装置１と、給紙元となるリライタブルペーパ出力装置１の給紙トレイ４０を夫々設定し、出力先のリライタブルペーパ出力装置１の個数と、給紙元となるリライタブルペーパ出力装置１の給紙トレイ４０の個数の組み合わせを判定することで、一度きりの設定手順の流れで適正な処理を選出して実施でき、設定条件を保存すれば操作手順が最少限に収まるため、毎回印刷した時の作業効率が飛躍的に高まる。
【図面の簡単な説明】
【０２０７】
【図１】全有色ＲＰの断面図である。
【図２】部分無色ＲＰの断面図である。
【図３】部分無色ＲＰの正面図その１である。
【図４】図３の部分無色ＲＰに頁番号を印刷した状態を示す図である
【図５】図４の複数の部分無色ＲＰを揃えて重ねた状態を示す図である。
【図６】本発明の実施例に係るリライタブルペーパ出力装置の構成を示す図である。
【図７】タイトル設定（その１）を表形式で示す図である。
【図８】タイトル設定（その２）を表形式で示す図である。
【図９】タイトルの印刷開始Ｘ座標の値を表形式で示す図である。
【図１０】各タイトルの印刷開始Ｘ座標の位置関係を示す図である。
【図１１】部分無測ＲＰの上側の無色部分にタイトルを印刷した状態を示す図である。
【図１２】図１１の全てのＲＰを揃えて重ねた状態を示す図である。
【図１３】タイトル毎に異なるパターンを合成した時の状態を示す図である。
【図１４】タイトル設定（その３）を表形式で示す図である。
【図１５】複数の無色部分を持つ部分無色ＲＰの正面図である。
【図１６】タイトル設定（その４）を表形式で示す図である。
【図１７】上下階層構築設定を表形式で示す図である。
【図１８】各頁の付与タイトル一覧を表形式で示す図である。
【図１９】図１５の右の無色部分にタイトルを印刷した状態を示す図である。
【図２０】図１５の全ての部分無色ＲＰを揃えて重ねた状態を示す図である。
【図２１】１頁目のＲＰを示す図である。
【図２２】２頁目のＲＰを示す図である。
【図２３】３頁目のＲＰを示す図である。
【図２４】図２１の表示方式の全ての部分無色ＲＰを揃えて重ねた状態を示す図である。
【図２５】「上野」の先頭頁を捲った状態を示す図である。
【図２６】タイトル設定（その５）を表形式で示す図である。
【図２７】横書きのタイトル文字長をチェックしない場合を示す図である。
【図２８】タイトル文字列が無色部分より長い場合の警告メッセージを示す図である。
【図２９】無色部分より長いタイトルの部分を切り捨てた状態を示す図である。
【図３０】図２９のタイトルを９０度回転した状態を示す図である。
【図３１】タイトルを縦書きにした状態を示す図である。
【図３２】全タイトル文字列が無色部分の長さより長い場合の警告メッセージを示す図である。
【図３３】タイトル設定（その６）を表形式で示す図である。
【図３４】縦書きのタイトル文字列長をチェックしない場合の状態を示す図である。
【図３５】図３４のタイトルを９０度回転した状態を示す図である。
【図３６】縦書きのタイトルを横書きにした状態を示す図である。
【図３７】１頁目の頁内容を示す図である。
【図３８】３頁目のぺー内容を示す図である。
【図３９】全ページのＲＰを添えて重ねた状態を示す図である。
【図４０】目次一覧のＲＰの頁内容を示す図である。
【図４１】図３９のＲＰの前に図４０の目次一覧を重ねた状態を示す図である。
【図４２】３頁目を開いた状態を示す図である。
【図４３】目次一覧設定を表形式で示す図である。
【図４４】タイトル設定（その７）を表形式で示す図である。
【図４５】目次一覧設定（その２）を表形式で示す図である。
【図４６】図４５の目次一覧設定の結果を表形式で示す図である。
【図４７】タイトル設定（その８）を表形式で示す図である。
【図４８】従来のＲＰ出力装置の構造を示す図である。
【図４９】給紙トレイを２つ持つＲＰ出力装置の構造を示す図である。
【図５０】実施例６における全有色ＲＰと部分無色ＲＰを使った印刷システムのデータの流れを示す図である。
【図５１】実施例７における全有色ＲＰと部分無色ＲＰを使った印刷システムのデータの流れを示す図である。
【図５２】実施例８における全有色ＲＰと部分無色ＲＰを使った印刷システムのデータの流れを示す図である。
【図５３】印刷条件設定の画面を示す図である。
【図５４】出力先設定の画面を示す図である。
【図５５】部分無色ＲＰのセットを促すメッセージを示す図である。
【図５６】全有色ＲＰのセットを促すメッセージを示す図である。
【図５７】部分無色ＲＰのセットを促すメッセージその２を示す図である。
【図５８】全有色ＲＰのセットを促すメッセージその２を示す図である。
【図５９】部分無色ＲＰの空白部分に文書内容と最終頁の出力先を印刷した状態を示す図である。
【図６０】全有色ＲＰの空白部分に文書内容と最終頁以前の出力先を印刷した状態を示す図である。
【図６１】本発明を実施する際の全体的な処理手順を示すフローチャートである。
【図６２】図６１のタイトル設定（Ｓ２）のサブルーチンの処理手順を示すフローチャートである。
【図６３】図６１の目次一覧設定処理（Ｓ３）のサブルーチンの処理手順を示すフローチャートである。
【図６４】図６１の階層構築設定（Ｓ４）のサブルーチンの処理手順を示すフローチャートである。
【図６５】図６１のタイトルチェック（Ｓ６）のサブルーチンの処理手順を示すフローチャートである。
【図６６】図６５の垂直方向のタイトル収容チェック（Ｓ６０３）のサブルーチンの処理手順を示すフローチャートである。
【図６７】図６５の水平方向のタイトル収容チェック（Ｓ６０４）のサブルーチンの処理手順を示すフローチャートである。
【図６８】図６１の印刷（Ｓ８）のサブルーチンの処理手順を示すフローチャートである。
【図６９】図６８の印刷処理における印刷条件設定（Ｓ８１）のサブルーチンの処理手順を示すフローチャートである。
【図７０】図６８の印刷Ａ（Ｓ８３）のサブルーチンの処理手順を示すフローチャートである。
【図７１】図６８の印刷Ｂ（Ｓ８４）のサブルーチンの処理手順を示すフローチャートである。
【図７２】図６８の印刷Ｃ（Ｓ８５）のサブルーチンの処理手順を示すフローチャートである。
【図７３】図７０の印刷画像の形成と印刷（Ｓ８３０７）のサブルーチンの処理手順を示すフローチャートである。
【符号の説明】
【０２０８】
１  リライタブルペーパ出力装置
２  リライタブルペーパ
２−１  全有色リライタブルペーパ
２−２  部分無色リライタブルペーパ
３  用紙
４  出力装置
５  パソコン
１０  制御プログラム
１１  作業用バッファ
１２  表示バッファ
１３  メモリ
１４  ＣＰＵ
１５  ハードディスク
１６  印刷バッファ
１７  プリンタドライバ
２０  書き換え層
２１  端
２２  無色部分
２２ｗ  無色部分の幅
２２Ｌ  無色部分の長さ
２３  有色部分
２４  敷紙
２５  無色シート
３０  頁番号
３１  タイトル
３１ｗ  タイトル文字列の幅
３１Ｌ  タイトル文字列の長さ
３２  パターン
３３  記号
３４  タイトル項目
３５  出力内容
４０  給紙トレイ
４０−Ａ  給紙トレイＡ
４０−Ｂ  給紙トレイＢ
４１  消去部熱ローラ
４２  印字部サーマルヘッド
４３  排紙トレイ
５０  タイトル設定
５１  一覧表
５２  設定番号
５３  目次一覧
５４  目次内容
５５  上下階層構築設定表
５６  各頁の付与タイトル一覧表
５７  目次一覧設定の一覧表
５８  構築番号
６０  出力装置情報
６１  リライタブルペーパの有無情報
６２  給紙・出力先情報
６３  出力先設定
１００  印刷条件設定
１０１  印刷頁範囲
１０１−Ｃ  印刷頁のカウント
１０２  最終頁
１０３  最終頁以前の頁
１０４  最終頁の前頁
１０５  印刷位
１０６  記述方向
１０７  印刷領域
１０７ｗ  印刷領域の幅
１０７Ｌ  印刷領域の長さ
１０８  用紙方向
１０９  印刷部数
１０９−Ｃ  印刷部数のカウント
１１０  用紙サイズ
１１１  印刷開始座標
１１１ｘ  印刷開始Ｘ座標
１１１ｙ  印刷開始Ｙ座標
１１２  タイトル間隔
１１２ｘ  タイトル間隔Ｘ
１１２ｙ  タイトル間隔Ｙ
１１３ｘ  タイトル配置Ｘ
１１３ｙ  タイトル配置Ｙ
１１４  タイトル文字数
１１５ｘ  １文字辺りの幅
１１５ｙ  １文字辺りの長さ
１１６  文字間隔
１１７ｘ  全タイトルの文字列の幅の合計値
１１７ｙ  全タイトルの文字列長の合計値
１１８  タイトル数
１１９  ９０度回転
１２０  処理フラグ
【図１】
2005196692.tif 000003
【図２】
2005196692.tif 000004
【図３】
2005196692.tif 000005
【図４】
2005196692.tif 000006
【図５】
2005196692.tif 000007
【図６】
2005196692.tif 000008
【図７】
2005196692.tif 000009
【図８】
2005196692.tif 000010
【図９】
2005196692.tif 000011
【図１０】
2005196692.tif 000012
【図１１】
2005196692.tif 000013
【図１２】
2005196692.tif 000014
【図１３】
2005196692.tif 000015
【図１４】
2005196692.tif 000016
【図１５】
2005196692.tif 000017
【図１６】
2005196692.tif 000018
【図１７】
2005196692.tif 000019
【図１８】
2005196692.tif 000020
【図１９】
2005196692.tif 000021
【図２０】
2005196692.tif 000022
【図２１】
2005196692.tif 000023
【図２２】
2005196692.tif 000024
【図２３】
2005196692.tif 000025
【図２４】
2005196692.tif 000026
【図２５】
2005196692.tif 000027
【図２６】
2005196692.tif 000028
【図２７】
2005196692.tif 000029
【図２８】
2005196692.tif 000030
【図２９】
2005196692.tif 000031
【図３０】
2005196692.tif 000032
【図３１】
2005196692.tif 000033
【図３２】
2005196692.tif 000034
【図３３】
2005196692.tif 000035
【図３４】
2005196692.tif 000036
【図３５】
2005196692.tif 000037
【図３６】
2005196692.tif 000038
【図３７】
2005196692.tif 000039
【図３８】
2005196692.tif 000040
【図３９】
2005196692.tif 000041
【図４０】
2005196692.tif 000042
【図４１】
2005196692.tif 000043
【図４２】
2005196692.tif 000044
【図４３】
2005196692.tif 000045
【図４４】
2005196692.tif 000046
【図４５】
2005196692.tif 000047
【図４６】
2005196692.tif 000048
【図４７】
2005196692.tif 000049
【図４８】
2005196692.tif 000050
【図４９】
2005196692.tif 000051
【図５０】
2005196692.tif 000052
【図５１】
2005196692.tif 000053
【図５２】
2005196692.tif 000054
【図５３】
2005196692.tif 000055
【図５４】
2005196692.tif 000056
【図５５】
2005196692.tif 000057
【図５６】
2005196692.tif 000058
【図５７】
2005196692.tif 000059
【図５８】
2005196692.tif 000060
【図５９】
2005196692.tif 000061
【図６０】
2005196692.tif 000062
【図６１】
2005196692.tif 000063
【図６２】
2005196692.tif 000064
【図６３】
2005196692.tif 000065
【図６４】
2005196692.tif 000066
【図６５】
2005196692.tif 000067
【図６６】
2005196692.tif 000068
【図６７】
2005196692.tif 000069
【図６８】
2005196692.tif 000070
【図６９】
2005196692.tif 000071
【図７０】
2005196692.tif 000072
【図７１】
2005196692.tif 000073
【図７２】
2005196692.tif 000074
【図７３】
2005196692.tif 000075